(57)【要約】本発明は、封止係合した様々なサイズの容器開口部を適合することができる万能密閉具に関する。本発明はまた、封止係合した様々なサイズの容器開口部を適合することができる万能分注密閉具に関し、二次的供給または製品の用量を収納するために使用され、密閉具が活性している際に、二次的製品または用量をそれが取り付けられている受容器に分注する。【選択図】図１Ａ、１Ｂ
2013510049.tif 000002
【特許請求の範囲】
【請求項１】
近位最上部と、内径および外径を有する周側壁と、遠位環状縁部と、前記側壁の前記内径に従属する１つ以上の変形可能な突起と、を備える、万能密閉デバイス。
【請求項２】
前記１つ以上の変形可能な突起は、放射状の突起、軸方向の突起、傾斜した突起、またはこれらの組み合わせを備える、請求項１に記載の万能密閉デバイス。
【請求項３】
前記１つ以上の変形可能な放射状の突起は、１つ以上の変形可能な環、螺旋またはこれらの組み合わせを備える、請求項２に記載の万能密閉デバイス。
【請求項４】
前記変形可能な軸方向の突起は、２つ以上の変形可能な垂直なリブ、傾斜したリブ、弧状のリブまたはこれらの組み合わせを備える、請求項２に記載の万能密閉デバイス。
【請求項５】
前記変形可能な放射状の突起は、２つ以上の変形可能な水平なリブを備える、請求項２に記載の万能密閉デバイス。
【請求項６】
プラグ封止をさらに備える、請求項１に記載の万能密閉デバイス。
【請求項７】
２つ以上のスペーサリブをさらに備える、請求項１に記載の万能密閉デバイス。
【請求項８】
前記側壁の前記内径から前記プラグ封止の前記外径に及ぶ、スペーサ径をさらに備える、請求項６に記載の万能密閉デバイス。
【請求項９】
前記側壁の前記外径上に、１つ以上の先細のリブをさらに備える、請求項１に記載の万能密閉デバイス。
【請求項１０】
前記先細のリブは、軸方向に、放射状に、弧状に、傾斜して、またはこれらの組み合わせで走る、請求項９に記載の万能密閉デバイス。
【請求項１１】
２つ以上のネジ式係合突出部をさらに備える、請求項１または７に記載の万能密閉デバイス。
【請求項１２】
近位最上部と、内径および外径を有する周側壁と、遠位環状縁部と、プラグ封止と、を備える、万能密閉デバイス。
【請求項１３】
ａ．筐体と、
ｂ．密閉放射状スカートと、
を備える、万能分注密閉デバイスであって、前記筐体は、１つ以上の成分を分注するための用量チャンバと、ユーザ作動手段とを備え、前記密閉放射状スカートは、１つ以上の変形可能な従属突起を備える、万能分注密閉デバイス。
【請求項１４】
前記筐体は、近位最上部と、遠位基部と、側壁と、をさらに備える、請求項１３に記載のデバイス。
【請求項１５】
前記筐体の前記近位最上部は、凸状の押圧部分を備える、請求項１４に記載のデバイス。
【請求項１６】
前記筐体の前記遠位環状縁部は、エンドプレート封止を備える、請求項１４に記載のデバイス。
【請求項１７】
前記筐体は、チューブ状の形状である、請求項１４に記載のデバイス。
【請求項１８】
前記凸状の押圧部分は、力が印加される際に凹形の構成に屈曲することができる、請求項１５に記載のデバイス。
【請求項１９】
前記押圧部分は、前記用量チャンバの前記上部放射状縁部における複数のヒンジ部材、前記隔壁の前記上部放射状縁部における１つ以上のヒンジ、またはこれらの組み合わせをさらに備える、請求項１８に記載のデバイス。
【請求項２０】
前記凸状の押圧部分は、１つ以上の放射状のリブ、１つ以上の軸方向のリブまたはこれらの組み合わせをさらに備える、請求項１８に記載のデバイス。
【請求項２１】
前記凸状の押圧部分は、凸状のドームまたは円錐台を備える、請求項１５に記載のデバイス。
【請求項２２】
前記用量チャンバは、１つ以上の成分を保存することができる、請求項１３に記載のデバイス。
【請求項２３】
分注するための前記ユーザ作動手段は、押圧部分、隔壁およびエンドプレート封止を備える、請求項１３に記載のデバイス。
【請求項２４】
前記隔壁は、中心フラッシュ距離を有する、請求項２３に記載のデバイス。
【請求項２５】
隔壁端部取付具をさらに備える、請求項２３に記載のデバイス。
【請求項２６】
分注するための前記ユーザ作動手段は、押圧部分、隔壁およびエンドキャップを備える、請求項１３に記載のデバイス。
【請求項２７】
前記エンドキャップは、エンドキャップの凹部を備える、請求項２６に記載のデバイス。
【請求項２８】
中心フラッシュ距離をさらに備える、請求項２７に記載のデバイス。
【請求項２９】
エンドプレート封止をさらに備える、請求項２６に記載のデバイス。
【請求項３０】
前記隔壁は、前記凸状のドームの前記頂部から前記筐体の前記基部に向かって従属する、請求項２３または２６に記載のデバイス。
【請求項３１】
前記隔壁は、前記筐体内で軸方向の位置合わせを維持する、請求項３０に記載のデバイス。
【請求項３２】
前記エンドキャップは、前記隔壁の前記基部と嵌合係合する、請求項２６に記載のデバイス。
【請求項３３】
前記エンドキャップは、前記筐体の前記内径と干渉係合する、請求項２６に記載のデバイス。
【請求項３４】
不活性位置にある前記エンドキャップは、筐体の前記遠位環状縁部の近位に位置する、請求項２６に記載のデバイス。
【請求項３５】
前記隔壁端部取付具は、前記隔壁の前記遠位端に取り付けられ、１つ以上の放射状のビードを備える、請求項２５に記載のデバイス。
【請求項３６】
前記エンドプレート封止は、フォイルライナを備える、請求項２３または２９に記載のデバイス。
【請求項３７】
前記フォイルライナは、プラスチックライニングによりその面を横切って支持される、請求項３６に記載のデバイス。
【請求項３８】
前記密閉放射状スカートは、前記筐体の前記外径に取り付けられ、前記筐体と軸方向に位置合わせされ、前記筐体より大きい外径、近位デッキ、および遠位環状縁部を有する、請求項１３に記載のデバイス。
【請求項３９】
前記密閉放射状スカートの前記変形可能な従属突起は、前記密閉放射状スカートの前記内径上に分離して配置された２つ以上の従属リブを備える、請求項１３に記載のデバイス。
【請求項４０】
前記従属リブは、放射状のリブである、請求項３９に記載のデバイス。
【請求項４１】
前記放射状のリブは、垂直である、傾斜している、弧状である、またはこれらの組み合わせである、請求項４０に記載のデバイス。
【請求項４２】
前記従属リブは放射状である、請求項３９に記載のデバイス。
【請求項４３】
前記密閉放射状スカートの前記変形可能な従属突起は、変形可能な環、螺旋、またはこれらの組み合わせである、請求項１３に記載のデバイス。
【請求項４４】
従属プラグ封止をさらに備える、請求項１３に記載のデバイス。
【請求項４５】
前記プラグ封止は、１つ以上の封止ビードをさらに備える、請求項４４に記載のデバイス。
【請求項４６】
２つ以上のスペーサリブをさらに備える、請求項１３に記載のデバイス。
【請求項４７】
２つ以上のネジ式係合突出部をさらに備える、請求項１３に記載のデバイス。
【請求項４８】
前記密閉放射状スカートは、１つ以上の先細のリブをさらに備える、請求項１３に記載のデバイス。
【請求項４９】
前記密閉放射状スカートの前記遠位環状縁部に取外し可能に取り付けられたタンパーエビデント・スカートをさらに備える、請求項１３に記載のデバイス。
【請求項５０】
不注意な分注するためのユーザ作動手段を防ぐために、前記押圧部分を跨ぐ折畳み式トラスをさらに備える、請求項２１に記載のデバイス。
【請求項５１】
前記折畳み式トラスは、前記筐体の前記外径に連結された２つのヒンジで連結された部材上を枢動して折り畳む、請求項５０に記載のデバイス。
【請求項５２】
前記折畳み式トラスは、タブが折り畳まれた位置にある際に、前記タブが前記筐体の前記外径と抵触するように、内部半径を有する、請求項５１に記載のデバイス。
【請求項５３】
前記折畳み式トラスは、前記トラスの前記底面を前記凸状の押圧部分の前記遠位縁部に連結する剥離式取付具を有する、請求項５１に記載のデバイス。
【請求項５４】
前記剥離式取付具は、前記凸状の押圧部分の前記頂部で連結する、請求項５３に記載のデバイス。
【請求項５５】
前記凸状の押圧部分を被覆する取外し可能な保護オーバーキャップをさらに備える、請求項２１に記載のデバイス。
【請求項５６】
前記取外し可能な保護オーバーキャップは、ヒンジ取付具により前記デバイスに連結される、請求項６０に記載のデバイス。
【請求項５７】
前記筐体の前記近位放射状縁部に取り付けられ、前記凸状の押圧部分の前記近位端を超えて延在する、立位放射状リムをさらに備える、請求項２１に記載のデバイス。
【請求項５８】
前記立位放射状リムは、前記立位放射状リムを作動前に取り外すために、プルタブを備える、請求項５７に記載のデバイス。
【請求項５９】
別の組の１つ以上の成分を含有する受容器をさらに備える、請求項１３に記載のデバイス。
【請求項６０】
前記受容器はボトルである、請求項５９に記載のデバイス。
【請求項６１】
ａ．用量チャンバおよび１つ以上の成分を分注するためのユーザ作動手段を備える筐体と、
ｂ．プラグ封止および螺旋の変形可能な従属突起を備える密閉放射状スカートと、
ｃ．過剰アルコール消費の少なくとも１つの症状に対して予防効果を有する１つ以上の構成要素と、１つ以上のビタミンＢと、１つ以上のエネルギーまたは覚醒構成要素と、１つ以上の電解質と、これらの組み合わせからなる群から選択される１つ以上の成分と、を備える、万能分注密閉デバイス。
【発明の詳細な説明】
【技術分野】
【０００１】
関連出願の相互参照
本願は、それぞれ２００９年１１月５日および２０１０年８月１３日に出願された、米国特許仮出願第６１／２５８，３１９号および同第６１／３７３，５１８号の利益を主張し、これらの内容は、参照することによってそれらの全体が本明細書に組み込まれる。
【０００２】
本発明は、概して、パッケージおよび容器の分野に関し、具体的には、封止を提供するように複数の容器開口部サイズに適合することができる容器密閉デバイス、および密閉具から受容容器への製品の分注のための保持方法に関する。
【背景技術】
【０００３】
無炭酸水および他の同様の飲料製品の現在の市場は、これらの飲料の製造業者および供給業者が、様々な寸法の種々の開口部および首の仕上がりを有するといった状況である。これらの開口部は、固有であり、配送および長期保管封止に対応するために、特定のネジ山付きの密閉具を必要とする。これらの様々なサイズの容器開口部に適合する、フリーサイズ（ｏｎｅ−ｆｉｔ−ａｌｌ）の密閉具の一時的または長期的定置を可能にすることが望ましい。製品の所定の用量を供給するために、飲料ボトルと同様に、密閉デバイスが、複数のサイズの容器開口部の最上部に適合することが望ましい。こぼすまたは汚染することなく、様々なサイズの容器開口部を通して、その中に保存された製品を分注することができる万能密閉具を有することが望ましい。また、製品の用量または供給が一旦受容容器に送達されると、封止および保持方法を提供することが有利である。使用時に容器開口部に封止係合を作用する万能密閉具を有して、エンドユーザが、その中の内容物をこぼすことなく、完全に混合し密閉具を持ち歩くために成分を振ることが可能になることが望ましい。
【発明の概要】
【０００４】
本発明の第１の態様は、封止係合された様々なサイズの容器開口部または首の仕上がりに適合することができる万能密閉具を提供する。本発明の万能密閉具は、容器内の製品をこぼすまたは汚染することなく保持するために、容器の首または開口部に封止係合を提供することができる。一実施形態には、近位最上部、遠位環状縁部、内径および外径を有する側壁、ならびに封止係合を、異なる径の容器の開口部または首に提供する、密閉具の内径において種々の寸法の可撓性の変形可能な従属放射状の突起が存在する。別の実施形態には、近位最上部、遠位環状縁部、内径および外径を有する周側壁、ならびに付着および取外し可能なトルクを提供する、分離して配置された２つ以上の可撓性の変形可能な従属リブが存在する。別の実施形態では、万能密閉具は、近位最上部、遠位環状縁部、周側壁、ならびに近位最上部の底面に従属する放射状のプラグ封止を備える。万能密閉具は、２つ以上のスペーサリブ、２つ以上のネジ式係合突出部、および１つ以上の先細のリブをさらに備えてもよい。本発明の万能密閉具を容器の首の仕上がりに押圧することができる、または容器にネジ留めすることができ、それによって取外し可能な抵抗および封止係合を提供するために、変形可能なリブおよび／または放射状の突起および／またはスペーサリブまたはネジ式係合突出部が容器のネジと係合し干渉する、および／またはプラグ封止が容器の首の内径を干渉する。
【０００５】
本発明の別の態様は、本発明の万能密閉デバイスを、封止密閉具を必要とする容器の首に取り付けることを備える、容器の首または開口部を閉じる方法を提供する。
【０００６】
本発明の別の態様は、エンドユーザによって決定された所望の使用時まで、製品の用量または供給を収納し、保存し、運ぶことができる万能分注密閉デバイスを提供する。本発明の万能密閉具分注デバイスは、製品を保持するための用量チャンバおよび製品を分注するためのユーザ作動手段を有する筐体、ならびに製品を受け取るために容器の首または開口部と封止係合する密閉放射状スカートを備える。
【０００７】
本発明の別の態様は、本明細書に記載されたユーザ作動手段に従って、本発明の万能密閉デバイスを容器の首に取り付けること、およびその中に製品を分注することを備える、製品を供給または投与する方法を提供する。
【０００８】
本発明の別の態様は、不注意な分注または製品の不正開封が発生したかどうかをエンドユーザに示す、使用時万能分注デバイスを提供する。本発明の万能密閉分注デバイスの一部の実施形態では、早計の分注および／または不正開封を示す１つ以上のタンパーエビデント（ＴＥ）構成要素が存在し、（ｉ）押圧された後ドームの反転した凹形の構成を維持するために、凸状ドームの内面上の放射状のヒンジであって、それによって作動および起こり得る早計な分注または不正開封を示す、放射状のヒンジと、（ｉｉ）剥離取付具を破壊することなく、受容器から取り外すことができない剥離取付具により、密閉放射状スカートの遠位環状縁部に取り付けられたタンパーエビデント・スカートと、（ｉｉｉ）剥離タブにより、押圧部分の外径に取り付けられた折り畳み式タブまたはトラスであって、引き離された剥離タブは不正開封の表示である、折り畳み式タブまたはトラスと、を含む。
【０００９】
本発明の別の態様は、偶発の分注から保護する、使用時万能分注デバイスを提供する。万能分注密閉具の一部の実施形態では、不注意な、偶発のまたは早計な分注からの保護を提供する分注保護構成要素が存在し、（ｉ）不注意な活性化および分注を防止するために、押圧部分の外面径に跨る折り畳み式タブまたはトラスと、（ｉｉ）不注意な活性化および分注を防止するために、筐体の近位放射状縁部に連結され、押圧部分の近位最上部を超えて押圧部分を包囲する、立位放射状リムと、および／または（ｉｉｉ）押圧部分を被覆する保護オーバーキャップと、を含む。
【００１０】
本発明の別の態様は、分注まで成分の完全性および鮮度を保持する、使用時万能分注デバイスを提供する。
【００１１】
本発明の他の態様および利点は、図および例を通して本発明の一実施形態が開示されている添付図面とともに考慮すると、以下の説明から明らかになろう。
【００１２】
図面は、本明細書の一部からなり、本発明への例示的実施形態を含み、これは様々な形に具現化され得る。一部の例では、本発明の様々な態様は、本発明の理解を促進するために、誇張または拡大して示され得ることを理解されたい。
【図面の簡単な説明】
【００１３】
【図１Ａ】完全に組み立てられた万能密閉具の一実施形態の側面図である。
【図１Ｂ】立位放射状リム５８を備えた非駆動状態の完全に組み立てられた万能密閉具の一実施形態の断面図である。
【図２】万能反転ドーム密閉具の一実施形態の正面図である。
【図３】種々の断面厚さのプラグ封止の上面図である。
【図４】種々の断面厚さのプラグ封止１２の断面図である。
【図５】種々の断面厚さのプラグ封止１２の拡大図である。
【図６】筐体チューブの側壁の外径と一体形成されたプラグ封止手段の上面図である。
【図７】容器の首２０と部分的に組み立てられた筐体チューブ２６の側壁３０の外径３３と一体形成されたプラグ封止手段の断面図である。
【図８】ネジ式係合突出部１７と位置合わせされたスペーサリブ１６の底面斜視図およびネジ式係合手段を示す図である。
【図９】位置合わせされたスペーサリブ１６およびネジ式係合突出部１７の拡大図である。
【図１０】種々の首の仕上がりサイズおよびネジ構成およびネジ螺旋の傾斜を受け取るために、離間したネジ式係合突出部１７を備える万能密閉具の底面図である。
【図１１】密閉具上のスカートを中心に円周に走る先細のリブ１９を示す斜視図である。
【図１２】密閉具に可撓性を提供するために、先細のリブ１９の根底に存在する薄壁部分を示す組立体の断面図である。
【図１３】可撓性の変形可能な環７を備える万能密閉具の断面図である。
【図１４】変形可能な螺旋８を備える万能密閉具の断面図である。
【図１５】可撓性の変形可能な垂直なリブ９を備える万能密閉具の断面図である。
【図１６】可撓性の変形可能な垂直なリブ９を備える万能密閉具の底面図である。
【図１７】可撓性の変形可能な傾斜した垂直なリブ１０を備える万能密閉具の断面図である。
【図１８】可撓性の変形可能な傾斜した垂直なリブ１０を備える万能密閉具の底面図である。
【図１９】可撓性の変形可能な垂直な弧状のリブ１１を備える万能密閉具の断面図である。
【図２０】可撓性の変形可能な弧状の垂直なリブ１１を備える万能密閉具の底面図である。
【図２１】万能密閉デバイスの上面図である。
【図２２】保護オーバーキャップ６０を付着した万能反転ドーム分注密閉具の斜視図である。
【図２３】保護オーバーキャップ６０を付着した万能反転ドーム分注密閉具の上面図である。
【図２４】ドーム２３、隔壁４０、エンドプレート封止３６の位置、および密閉放射状スカート２７のネジ山付きの部分６、８を画定し、閉位置における保護オーバーキャップ６０および保護オーバーキャップに対するヒンジ取付領域６１を示す、組立体内の万能反転ドーム分注密閉具の断面図である。
【図２５】引離し式プルタブ５９を備える取外し可能な立位放射状リム５８を備える万能反転ドーム分注密閉具の斜視図である。
【図２６】引離し式プルタブ５９を備える取外し可能な立位放射状リム５８を備えることを示す万能反転ドーム分注密閉具の上面図である。
【図２７】ドーム５８を包囲する引離し保護手段を有する万能反転ドーム分注密閉具の断面図であり、用量チャンバ３８、放射状密閉具スカートのデッキ６９、密閉具放射状スカートのネジ山付きの部分８を同定し、隔壁端部取付具３７および１つ以上の放射状のビード４１を示す図である。
【図２８】折り畳み式トラスまたはタブ５３の機能を有するタンパーエビデント用量密閉具の上面図である。
【図２９】隔壁４８およびチューブ４７に放射状のヒンジを有する折り畳み式トラス５３の機能を有するタンパーエビデント用量密閉具の断面組立図である。図２９はエンドキャップ３５、フォイルライナ３６、およびプラグ封止１２をさらに示す図である。
【図３０】折り畳み式トラスまたはタブに取り付ける引離し式取付具５５および折り畳み式トラスまたはタブ５３に対するヒンジ部５４を示す、折り畳み式トラスまたはタブの機能を有するタンパーエビデント用量密閉具の正面図である。また、図３０は、指かけ凹状構成要素４６およびプルタブ６３を備えたタンパーエビデント・スカート６２を有する密閉放射状スカート２７も示す図である。
【図３１】折り畳み式トラスまたはタブ５３の機能を有するタンパーエビデント用量密閉具の斜視図である。
【図３２】立位放射状リム５８を備えたタンパーエビデント用量密閉具の斜視図である。
【図３３】開位置における一体型保護オーバーキャップ６０を備えた可撓性のドーム密閉具の上面図である。
【図３４】開位置における一体型保護オーバーキャップ６０を備えた可撓性のドーム密閉具の側面図である。
【図３５】開位置における一体型保護オーバーキャップ６０を備えた可撓性のドーム密閉具のヒンジ領域６１を通る断面図である。また、図３５は、可撓性のドーム２３、隔壁４０およびエンドキャップ３５を画定する図である。
【図３６】開位置における一体型保護オーバーキャップ６０を備えた可撓性のドーム密閉具の断面図である。
【図３７】折り畳まれた位置における折り畳み式トラス５３を備えた反転した凹状の位置にある可撓性のドームの上面図である。
【図３８】成分を分注するために開位置または活性位置にある万能反転ドーム分注密閉具の断面図である。
【図３９】筐体の遠位基部より下の位置にあるエンドキャップ３５を備えた活性位置における万能反転ドーム分注密閉具の側面図である。
【図４０】反転した凹形の構成２５にあるドームおよび筐体２９の遠位基部より下の位置にあるエンドキャップ３５を備えた活性位置における万能反転ドーム分注密閉具の断面図である。
【図４１】筐体２９の遠位基部より下の位置にあるエンドキャップ３５を備えた活性位置における（密閉放射状スカートから取り外されたネジを備えた）反転ドーム分注デバイスの底面の斜視図である。
【図４２】反転した円錐台２４の分注密閉具の側面図である。
【図４３】反転した円錐台２４の分注密閉具の上面図である。
【図４４】位置合わせされていないスペーサリブ１６およびネジ式係合突出部１７を示す、万能分注密閉デバイスの底面図である。
【図４５】位置合わせされていないスペーサリブ１６およびネジ式係合突出部１７を示す、万能分注密閉デバイスの斜視図である。
【図４６】遠位エンドキャップ凹部５２、中心フラッシュ距離４９および筐体の遠位端に対するエンドキャップの近位部を示す、万能分注密閉デバイスの断面図である。
【図４７】遠位エンドキャップ凹部５２、中心フラッシュ距離４９および筐体の遠位端に対するエンドキャップの近位部を示す、万能分注密閉デバイスの拡大図である。
【図４８】プラグ封止１２の一実施形態の拡大図である。
【図４９】プラグ封止１２の一実施形態の拡大図である。
【発明を実施するための形態】
【００１４】
本発明の実施形態の詳述は、本明細書に提供される。しかし、本発明は、様々な形で具現化されてもよいことを理解されたい。したがって、本明細書の特定の詳述は、限定として解釈されるべきではなく、むしろ実質的にあらゆる適切な詳しいシステム、構造または方式において本発明を利用するために、当業者に教示するための特許請求の範囲に対する根拠として、および代表的根拠として解釈されるべきである。
【００１５】
万能密閉具
一態様では、本発明は、種々の容器の首の仕上がりおよび容器開口部サイズを有する封止係合を提供することができる、新規の密閉デバイス（図１３〜２１）に関する。密閉具は、近位最上部１、周側壁２および遠位環状縁部３を有する。近位最上部１は、一実施形態では、実質的に平坦であり、他の実施形態では、近位最上部１は、種々の程度の傾斜を有する。一実施形態では、近位最上部１は、内部に丸みを帯びた角または丸み半径により側壁２に連結される。図２１は、丸み半径６７の外面環状縁部を示す。側壁は、内径４および外径５を有する。一実施形態には、側壁の内径４および側壁の外径５は、側壁２の近位端から遠位端までのそれぞれの長さに沿って実質的に同じである。他の実施形態では、側壁２の近位端から側壁２の遠位端までの２つ以上のそれぞれの内径４および外径５が存在する。また側壁２は、万能密閉具のスカートとも呼ばれる。一実施形態では、側壁２は、密閉具に概してチューブ状の形状を与えるために湾曲している。万能密閉具のチューブ状の形状は、あらゆる先細チューブ状の形状を含む円錐、または楕円柱形状、放物線円柱形状、双曲柱形状、円柱形状および一般化された円筒（断面はあらゆる曲線でよい）形状を含む円筒であってよい。別の実施形態では、側壁２の内径４は湾曲しており、側壁の外径５は傾斜している。
【００１６】
一部の実施形態では、側壁２の内径４は、本発明の多くの態様に適合する万能密閉デバイスを提供するために、種々の寸法の１つ以上の変形可能な従属突起６をさらに備える。変形可能な従属突起６は、密閉具が種々のネジ山付きの首および開口部の径およびネジの外形を許容できるように、薄く、可撓性があり、変形可能である。１つ以上の変形可能な従属突起６は、付着および取外し可能なトルクを提供する。一実施形態では、１つ以上の変形可能な従属突起は、放射状の環７、螺旋８またはこれらの組み合わせを備える。図１４に示されたように一実施形態では、万能密閉具は、容器の首に回転自在に結合できる、内部側壁上のネジを有する。ネジは、種々の構成および／または螺旋またはピッチであってよい。一部の実施形態では、螺旋は、約０度〜約１０度のピッチを有する。他の実施形態では、螺旋は、０度より大きく約４度までのピッチを有する。別の実施形態では、１つ以上の変形可能な従属突起６は、垂直なリブ９、傾斜したリブ１０、弧状のリブ１１、様々な他の形状もしくは幾何形状、またはこれらの組み合わせを含む、２つ以上の軸方向のリブを備える。他の実施形態では、１つ以上の変形可能な従属突起は、水平なリブ、傾斜したリブ、弧状のリブ、様々な他の形状もしくは幾何形状、またはこれらの組み合わせを含む、２つ以上の放射状のリブを備える。他の実施形態では、変形可能な従属突起は、放射状の環、螺旋、軸方向のリブまたは放射状のリブの組み合わせを備える。
【００１７】
変形可能なリブ（たとえば、９、１０、１１）は、付着および取外し可能なトルクを提供するために、内径上に分離して配置される。軸方向のリブは、それらの垂直長さを通して適合し、ヒンジで連結された変形可能な部材に密閉具の側壁を提供するために、最上部壁から容易にせん断する。軸方向のリブは、製造目的で密閉具の底面の近位最上部端部に取り付けられる。軸方向のリブは、密閉具が容器に付着される際に、近位端が密閉具から引き離される、または剥離されるような方式に設計される。近位最上部１の底面の取付けは、一実施形態では丸み半径がないように鋭い。別の実施形態には、側壁２は、密閉具が付着される際に、近位最上部１の底面がボトルネックに干渉係合しない限り、近位最上部１の底面に接触する、小さい丸み半径が存在する。
【００１８】
一部の実施形態では、側壁からの変形可能な従属突起の深さは、約０．００５〜約１．０インチの範囲であることができる。一実施形態では、側壁からの深さは、約０．０４０インチである。一部の実施形態では、軸方向のリブの厚さは、約０．００５インチ〜約０．０５０インチである。一実施形態では、軸方向のリブの厚さは、約０．０２０インチである。
【００１９】
別の実施形態では、万能密閉具内部は、近位最上部１、側壁２、遠位環状縁部３および従属プラグ封止１２を備える。側壁２の内径４は、ネジ山なしであり、種々の寸法の変形不可能な従属突起６〜１１を有する。他の実施形態には、それぞれが以下に記載されているように、２つ以上のスペーサリブ、および／または２つ以上のネジ式係合突出部が存在する。
【００２０】
プラグ封止
図４、５、７、１２、２９、および３５〜３６に示されたように、一部の実施形態における万能密閉具はまた、容器の首２０の内径２１に適合する封止部材１２と同様に、従属放射状の可撓性のプラグも備える。このプラグ封止１２は、プラグ封止が複数の首の仕上がり内径に封止係合の機会を提供するように、その構成において固有である。図７に示されたように、プラグ封止は、その内容物を漏れから保護し続ける、容器２２の開口部を内部に突出する。プラグ封止１２は、プラグ封止１２が容器の内容物が漏れ出さないよう封止し、しかも十分に低い付着および取外し可能な力でエンドユーザによって容易に付着および除去されることが可能になるように、容器の首２１の開口部の内径と干渉係合するように設計される。
【００２１】
プラグ封止は、密閉具の近位最上部１の底面に従属する。プラグ封止１２の寸法は異なってもよい。一部の実施形態では、プラグ封止１２は、より大きい内径ボトルに対して干渉係合を提供し、より小さい内径ボトルに対してより厚い上部または近位の放射状封止部分１４を提供する場所を、容易に折り畳むまたは変形することができる、より長くより薄いより低い部分または遠位部分１３を有する（図５）。一部の実施形態では、プラグ封止１２は、密閉放射状スカートのデッキに向かって移動しながら径を増加させる、より小さい内径をその遠位端に有する（図３５および３６）。プラグ封止１２の構成は、より小さい内径の開口部との干渉封止係合を、プラグ封止のより低い遠位端で容器の首に対して提供し、大きい内径の開口部との干渉封止係合を、プラグ封止の上部近位端で容器の首に対して提供するために、豆形、傾斜している、または他の形状および幾何形状であることができる（たとえば、図２４、２７）。
【００２２】
一部の実施形態では、その近位端から遠位端までのプラグ封止１２の長さは、内部密閉具の径１２の遠位縁部が、側壁２の遠位環状縁部３と実質的に同一平面上にあるように、側壁２と実質的に同じ長さである。他の実施形態では、その近位端から遠位端までのプラグ封止１２の長さは、側壁２の長さより短い。
【００２３】
図５に示されたように一部の実施形態では、プラグ封止１２は、プラグ封止が折れ曲がり、種々の容器の首の仕上がりおよび径に適合することができる、内部の間隔径１５を生成する。内部の間隔径１５は、プラグ封止の内径から密閉具側壁２内の筐体チューブの外径に及ぶ。内部の間隔径１５の幅は、容器の首２０の種々の内径との干渉係合を提供するように変化してもよい。別の実施形態では、プラグ封止は、筐体チューブ２６の側壁３０の外径３３と一体形成される（図７）。
【００２４】
別の実施形態では、複数の封止ビード６８（図４９）がプラグ封止上の多様な位置にある。封止ビード６８は、開口部を閉じるために、容器の開口部の内径を干渉係合する放射状のバンプである。封止ビードは、様々な場所に配置され、様々なサイズの容器の首または開口部と係合するために種々のサイズである。一実施形態では、封止ビードは、プラグの遠位端でより小さいサイズであり、プラグ封止の近位最上部に向かって移動してサイズを増加させる。封止ビードは、密閉具が容器の首または開口部の最上部と係合するために、端から端まで進まない場合は、１組の封止ビードが、封止を生成し開口部を閉じるために、容器の開口部または首の内径と係合するように働く。一実施形態では、より小さくより多い遠位封止ビードは、より小さい開口部の内径と係合し、より大きい近位封止ビードは、より大きい開口部の内径と係合する。
【００２５】
スペーサリブ
図４、５、８および９に示されたように、万能密閉具はまた、放射状トルクを増加することなく、干渉係合を提供するために使用される２つ以上のスペーサリブ１６を備える。スペーサリブ１６は、側壁２の内径１４に連結され、一実施形態では正反対であり（図１０）、ネジが突起６〜１１の間に適合でき、密閉具スカート２が長円形状２０に一致することが可能になる。他の実施形態では、スペーサリブは互いに離間している。内径上のスペーサリブの垂直位置は、容器の首２０の仕上がりネジの外径に垂直干渉を提供することが重要である。一実施形態におけるスペーサリブ１６は、内部近位最上部１と嵌り合うように位置づけされる。別の実施形態では、スペーサリブ１６は、近位最上部１の下に位置づけされる。スペーサリブ１６の幅は、密閉デバイスが約２６ｍｍ〜約２８ｍｍの容器の首または開口部サイズに適合するために、約２０ｍｍ〜約２８ｍｍの範囲であるべきである。スペーサリブ１６の長さは、密閉デバイスが約２６ｍｍ〜約２８ｍｍの容器の首または開口部サイズに適合するために、約２ｍｍ〜約２０ｍｍの範囲であるべきである。より大きい径の容器の首または開口部サイズに対して、一部の実施形態では、より大きい寸法のスペーサリブが存在する。一部の他の実施形態には、より大きい径の容器の首または開口部サイズに対して、３つ以上のスペーサリブが存在する。容器の首のサイズが増加するにつれて、より多くのスペーサリブが、万能密閉具を固定し、密閉具を振動時に係脱から防止するために、容器の首により多くの干渉を提供する。
【００２６】
ネジ式係合突出部
図４、５、８〜１０に示されたように、万能密閉具はまた、万能密閉具によって係合された容器の首の種々のネジ構成および種々のピッチの螺旋に嵌り合い、干渉係合を提供するために使用される、２つ以上のネジ式係合突出部１７を備えてもよい。ネジ式係合突出部１７は、側壁２の内径４に連結され、一実施形態では正反対である（図１０）。他の実施形態では、ネジ式係合突出部１７は、互いに離間している。ネジ式係合突出部間の放射状の距離により、密閉具スカート２は容器の首２０に付着中に変形することが可能になる。ネジ式係合突出部の垂直の位置および放射状の位置は、ネジ式係合突出部が、ある範囲内の種々の首の仕上がり上のネジを係合するように画定される。ネジ式係合突出部は、最適なネジを首の仕上がりの係合に提供するために、水平に位置合わせされている、または垂直かつ放射状にずれていることができる。より大きい径の容器の首または開口部サイズに対して、一部の実施形態には、より大きい寸法のネジ式係合突出部が存在する。一部の他の実施形態には、より大きい径の容器の首または開口部サイズに対して、３つ以上のネジ式係合突出部が存在する。容器の首のサイズが増加するにつれて、より多くのネジ式係合突出部が、万能密閉具を固定し、密閉具を振動時に係脱から防止するために、容器の首により多くの干渉を提供する。
【００２７】
図８〜１０は、万能密閉具の内径上のスペーサリブ１６と放射状に位置合わせされたネジ式係合突出部１７を示す。しかし、スペーサリブは、ネジ式係合突出部と異なる垂直空間を占有する。スペーサリブ１６は、より遠位に位置づけされたネジ式係合突出部１７の位置に対してより近位である。他の実施形態では、ネジ式係合突出部は、スペーサリブと放射状に位置合わせされず、放射状の内径に沿って重複する位置または代替の位置に現れる一方で、依然として異なる垂直空間を維持する（図４４および４５）。ネジ式係合突出部とスペーサリブとの間の放射状の距離により、密閉具スカート２は、容器の首２０に付着中に変形することが可能になる。
【００２８】
間隔径
図８に示されたように、万能密閉具は、一部の実施形態では、万能密閉具によって係合された容器２０の首に隙間を提供する、間隔径１８を備える。間隔径により、プラグ封止が適切な適合のために必要に応じて移動することが可能になる。間隔径は、側壁２の内径４からプラグ封止の外径に及ぶ。より大きい径の容器の首または開口部サイズに対して、一部の実施形態では、間隔径はより大きくサイズ化される。
【００２９】
先細のリブ
図２、３、および１１に示されたように、一部の実施形態では、万能密閉具は、可撓性を側壁２または密閉具のスカートに加えるために、１つ以上の先細のリブ１９を備える。スカートに加えられた可撓性により、密閉具がより大きい容器の首の径に一致し、長円形状の容器の首の径に一致することが可能になる。先細のリブ１９は、軸方向に、放射状に、傾斜して、弧状に、様々な他の形状もしくは幾何形状、またはこれらの組み合わせであってもよい。先細のリブ１９は、スペーサリブとの干渉がネジ山付きの容器の首２０に付着中に生成される際に、側壁材料が十分に薄いので密閉具スカートの屈曲変形を提供する、側壁の外径５の１つ以上の領域を備える。
【００３０】
フォイル封止
さらに他の実施形態では、本発明の万能密閉具は、無菌を密閉具スカートの内部および密閉具近位最上部の底面に提供するために、遠位フォイル封止を備える。フォイル封止は、密閉具の最大の外径を横切って及ぶ。
【００３１】
容器開口部および首の仕上がり
本発明の万能密閉具は、様々な容器の種々の首の仕上がり、ネジの外形および容器開口部サイズに適合するように設計される。容器は、首２０または容器の口もしくは開口部を画定する他の適切な構造を有してもよい。首は、円形断面構成または長円もしくは他の楕円形、傾斜した断面形状のような他の何らかの構成を有してもよい。本発明の万能密閉具は、種々の寸法の容器の首に封止係合を提供するように構成されてもよい。一部の実施形態では、本発明の万能密閉具は、約１０ｍｍ〜約４５ｍｍの径を有する容器の首に封止係合を提供するように構成される。上記のように万能密閉具は、容器の内容物がこぼれないよう、または汚染されないことを保つように、容器に封止係合を提供するためにキャップとしてのみに使用されてもよい。一実施形態には、近位最上部、遠位環状縁部、内径および外径を有する側壁、ならびに側壁の内径に従属する少なくとも１つの可撓性の変形可能な突起を備える万能密閉デバイスが存在する。一部の実施形態では、変形可能な従属突起は、１つ以上の可撓性の変形可能な環、螺旋またはこれらの組み合わせである。一部の実施形態では、変形可能な従属突起は、垂直なリブ、傾斜したリブ、弧状のリブまたはこれらの組み合わせを含む、２つ以上の軸方向の突起を備える。他の実施形態では、変形可能な従属突起は、水平なリブ、傾斜したリブ、弧状のリブまたはこれらの組み合わせを含む、２つ以上の放射状のリブを備える。一部の実施形態では、本発明の万能密閉具は、プラグ封止、間隔径、２つ以上のスペーサリブ、２つ以上のネジ式係合突出部、密閉具スカートの外径への１つ以上の先細のリブ、またはこれらの組み合わせをさらに備える。
【００３２】
別の実施形態には、近位最上部、遠位環状縁部、内径および外径を有する側壁、ならびにプラグ封止を備える万能密閉デバイスが存在する。他の実施形態では、本発明の万能密閉具は、間隔径、２つ以上のスペーサリブ、２つ以上のネジ式係合突出部、密閉具スカートの外径への１つ以上の先細のリブ、側壁の内径に従属する１つ以上の変形可能な突起、またはこれらの組み合わせをさらに備える。
【００３３】
別の実施形態には、容器の首を閉じる方法、または近位最上部、遠位環状縁部、内径および外径を有する周側壁、ならびに１つ以上の変形可能な従属突起を備える万能密閉デバイスを、封止密閉具を必要とする容器の首に付着することを含む、開く方法が存在する。別の実施形態には、容器の首を閉じる方法、または近位最上部、遠位環状縁部、内径および外径を有する周側壁、ならびにプラグ封止を備える万能密閉デバイスを、封止密閉具を必要とする容器の首に付着することを含む、開く方法が存在する。
【００３４】
万能反転押圧部分分注密閉具
上述のように万能密閉具は、受容容器または器への製品の用量の供給に対して封止係合を提供するために、分注デバイスと組み合わせて使用されてもよい。別の態様では、本発明は、新規の万能反転押圧部分分注密閉デバイスに関する（たとえば、図１Ａ、１Ｂ、２、１１、１２、２４、２７、２９〜３２、３５、３６、３８、４２）。押圧部分は、押圧されるか、または活性化される際に、反転する２５凸状のドーム２３または円錐台２４であってもよい（図３７〜４０）。本発明の万能反転押圧部分分注密閉具を使用して、個別のレセプタクル、受容器または容器に分注されるまで、成分の鮮度および完全性を維持するために、製品の用量もしくは供給または１つ以上の成分を個別に収納、保管または運んでもよい。活性化される際に、本発明の万能反転押圧部分分注密閉具は、用量を受容器に送達し、それによってこぼし汚染することをなくすボトルまたは容器から、万能分注密閉具を取り外すことなく、エンドユーザが製品の用量または供給を分注できるようになる。受容器の組み合わされた成分は、万能分注密閉具を受容器から取り外すことにより、消費用に分注することができる。
【００３５】
一部の実施形態では、万能反転ドーム分注密閉具は、筐体２６および万能反転押圧部分分注密閉具を受容器に取り付けるための取付け手段２７を備える。他の実施形態では、万能反転ドーム分注密閉具は、筐体２６、万能反転押圧部分分注密閉具を受容器に取り付けるための取付け手段２７、および受容器６６を備える。
【００３６】
筐体
万能反転ドーム分注開示具の筐体２６は、近位最上端部２８、遠位基部端部２９、側壁３０および内部容積３１を有する（図１Ａ、１Ｂ、２９）。一実施形態では、筐体２６の側壁は、筐体にチューブ状の形状を与えるように湾曲している。筐体２６はまた、本明細書でチューブまたは筐体チューブとも呼ばれる。側壁３０は、内径３２および外径３３を有する。一実施形態では、側壁３０の内径３２および側壁３０の外径３３のそれぞれは、筐体２６の近位端２８から遠位端２９までのそれぞれの長さに沿って実質的に同じである。他の実施形態には、筐体２６の近位端２８から遠位端２９までの側壁３０の長さに沿って、側壁のそれぞれの２つ以上の内径３２および外径３３が存在する。側壁３０は、遠位環状縁部３４を備える。筐体のチューブ状の形状は、あらゆる先細チューブ状の形状を含む円錐、または楕円柱形状、放物線円柱形状、双曲柱形状、円柱形状および一般化された円筒（断面はあらゆる曲線でよい）形状を含む円筒であってよい。別の実施形態では、筐体の側壁は、傾斜したチューブ状の形状を形成する３つ以上の側壁を有する平面である。筐体の傾斜したチューブ状の形状は、三角形状のチューブ、正方形形状のチューブ、長方形形状のチューブ、多角形形状のチューブを含む。筐体の近位最上部２８は、以下により詳しく記載される押圧部分２３、２４を備える。筐体の遠位基部２９は、以下により詳しく記載されるように、エンドキャップ３５および／もしくはエンドプレート封止３６（図２９）、または隔壁端部取付具３７およびエンドプレート封止３６（図２７）を備える。一部の実施形態では、筐体の内部容積３１は、投与および供給方法に対して予め定められている。
【００３７】
図１Ｂおよび２７に示されたように、筐体の内部容積３１は、内部中空用量チャンバ３８を備える。中空用量チャンバを使用して、１つ以上の成分、製剤または製品を収納する。筐体の遠位基部２９は、密閉デバイスが活性化される際に、分注ポート３９をさらに備える。図４０を参照すると、作動時、１つ以上の成分、製剤または製品が用量チャンバから出て分注できる、筐体の遠位基部２９において離間した開口部３９が提供される。
【００３８】
成分、製剤または製品
用量チャンバ３８内に保存された1つ以上の成分、製剤または製品６５のタイプおよび形は、無制限である。一部の実施形態には、単一の成分、製剤または製品が存在し、他の実施形態では、成分、製剤または製品の組み合わせが存在する。成分、製剤または製品の非制限の例示的形は、粉末、乾燥成分、液体、原液および懸濁液を含む。万能分注密閉具に保存でき、万能密閉具から分注できる成分、製剤または製品のタイプの非制限の例は、栄養補助食品（たとえば、食物繊維およびビタミン）、スポーツ栄養成分（たとえば、アミノ酸、脂肪燃焼剤、筋肉増強剤）、栄養食品成分（たとえば、食欲抑制剤、脂肪燃焼剤、満腹感を引き起こす成分）、老化防止の恩恵をもたらす成分、免疫支持成分（たとえば、プレバイオティクス、プロバイオティクス）、エネルギー増強剤、覚醒剤、抗酸化剤、抗二日酔い製剤を含む。
【００３９】
万能分注密閉デバイスに保存でき、万能密閉デバイスから分注できる成分、製剤または製品は、薬剤、生物製剤、微生物、栄養補助食品、薬物、プロドラッグおよび調剤も含むことができる。硬い錠剤、カプセルを飲み込む必要性を回避し、薬のより従来の形に関連したまずい味を回避し、製品の完全性を維持する、薬を分注する使用時の形を製剤することが望ましい。
【００４０】
本発明の万能分注密閉デバイスによって、保存され分注されるあらゆる１つ以上の成分、製剤または製品は、単独に、または他の成分、香味料、甘味料、酸味料、賦形剤、防腐剤および／もしくは着色剤と組み合わせて保存されてよい。
【００４１】
本発明の万能分注デバイスの他の付着は、以下に記載される。
【００４２】
ユーザ作動分注手段
筐体２６は、１つ以上の成分、製剤または製品を分注するためのユーザ作動手段をさらに備える。一実施形態では、分注手段は、押圧部分２３または２４、隔壁４０およびエンドキャップ３５をさらに備える（図１Ｂ、２９、３５、３９〜４１）。別の実施形態では、分注手段は、エンドプレート封止３６をさらに備える（図２４）。別の実施形態では、分注手段は、押圧部分２３、２４、隔壁４０、隔壁端部取付具３７およびエンドプレート封止３６をさらに備える（図２７）。一部の実施形態では、分注手段は、凸状のドーム形状２３を有する押圧部分を備える。一部の実施形態では、押圧部分は、円錐台形状２４である（図４２、４３）。分注手段は、エンドユーザによる使用時に作動するように意図されている。エンドユーザは、凸状の押圧部分２３、２４に力を印加することにより分注を活性させる。エンドユーザが凸状のドーム２３または円錐台２４に押圧力を印加することにより、凹形の構成２５に反転させる（図３７〜４０）。一実施形態では、凹形の構成２５に押圧部分が移動すると、隔壁４０に力を印加することにより、隔壁が遠位方向に移動し、エンドプレート封止３６、エンドキャップ３５または隔壁端部取付具３７を押圧する。一実施形態では、エンドプレート封止３６を押圧する隔壁４０の力により、エンドプレート封止３６が、せん断される、割れるまたは折れる。別の実施形態では、エンドキャップ３５を押圧する隔壁４０の力により、エンドキャップ３５がエンドプレート封止３６をせん断する、割るまたは折り、筐体２９の遠位基部を超えて移動する。別の実施形態では、隔壁端部取付具３７を押圧する隔壁４０の力により、隔壁端部取付具３７がエンドプレート封止３６をせん断する、割るまたは折り、可撓性のエンドプレート封止３６を、隔壁端部取付具４２のカップ状端部の内部に位置する放射状のビード４１内に保持する。すべての実施形態において、１つ以上の成分、製剤または製品が用量チャンバから出て分注することができる、筐体２９の遠位端内に離間した開口部３９が生成される。
【００４３】
押圧部分
押圧部分は、筐体２６の近位最上端部２８に配置され、エンドユーザによって作動される構成要素である。一実施形態では、押圧部分は、図２、１１、２４、２７、および２９〜３６に示されたように、凸状のドーム２３である。一実施形態では、押圧部分は、図４２および４３に示されたように、円錐台２４である。押圧部分は、十分な力が印加される際に、反転した凹形の構成２５に容易に変形されることができる材料の薄く均一な壁で作成される。凹形の構成を引き起こす押圧部分に力を印加することにより、分注を開始する。一部の実施形態では、エンドユーザは、押圧部分に力を印加することにより分注を作動し、押圧部分が反転した凹形の構成に押圧される。
【００４４】
一部の実施形態では、凸状のドーム押圧部分２３は、ドームの弧状全体を離間された複数の放射状のヒンジ部材４７および４８で構成される（図２９）。一部の実施形態には、チューブ４７の上部放射状縁部、隔壁４８の上部放射状縁部およびこれらの組み合わせに配置された放射状のヒンジ構成要素が存在する。放射状のヒンジ４７および４８は、凸状のドーム２３が最大の反転位置に屈曲できるようになる方式で構成される。凸状のドームが白色以外のあらゆる材料で形成される際に、ドームの屈曲部分は、ドームが折り曲げられる領域に折目を生成する。白化は、押圧部分を形成するために使用される材料または樹脂の機能である。また折目は、その屈曲領域内の丸み半径の設計によって影響を受ける。これらの領域を確認する必要がある特定の幾何形状は、材料がドームの外部および内部でその本来の弾性限界を超えて圧迫されると、せん断することなく折り曲げられる、または屈曲することが当業者には認識されよう。
【００４５】
一部の実施形態では、凸状のドーム２３の底面は、支持軸方向のリブ、放射状のリブまたはこれらの組合せを有する。支持ドームリブは、エンドユーザに対して作動感触を提供する。他の実施形態では、一般の凸形の形状を有し、凹形の構成に押圧されることができる円錐台２４の押圧部分は、放射状のヒンジ、軸方向のリブ、放射状のリブまたはこれらの組合せで構成される。
【００４６】
隔壁
押圧部分２３、２４の頂部では、図２４、２７、２９、３５および３６に例示されたように、筐体２９の遠位基部に向かって延在する従属隔壁４０が存在する。一部の実施形態では、隔壁４０は、押圧部分２３、２４の底面に一体形成される。一部の他の実施形態では、隔壁４０は、押圧部分２３、２４の底面と干渉係合される。隔壁４０は、その近位端上を押圧し、筐体２９の遠位基部に向かってそれを移動させる、反転押圧部分２３、２４によって作動される。一部の実施形態では、隔壁の遠位端は、エンドキャップ３５を嵌合係合して受け取るように構成される。他の実施形態では、隔壁４０の遠位端は、隔壁端部取付具３７に取り付けられる。隔壁４０は、非作動状態で筐体２６と軸方向に位置合わせされるように構成され、分注手段およびエンドキャップを許容する作動中、軸方向の位置合わせを維持する。
【００４７】
隔壁４０は、実質的に硬く、変形可能な位置に折り曲げるまたは屈曲することを意図されていない。隔壁４０の硬さは、隔壁４０とエンドキャップ３５との間に干渉係合が存在すると、隔壁４０がエンドキャップ３５を容易に許容できるように、組立体を支援する。エンドキャップ３５は、隔壁４０における係合を維持し、隔壁４０から容易に取り外されないように意図されている。押圧部分が反転されると、隔壁４０は、エンドキャップ３５を用量チャンバの遠位基部２９および筐体を超えて下方向に押し付ける。隔壁４０の長さは、エンドキャップ３５を径方向の干渉がある、製品チャンバから強行に取外すほど構造的に堅固である必要がある。
【００４８】
エンドキャップ３５は、筐体２６の遠位基部に向かって配置され、図１Ｂ、２９および３５に例示されたように、隔壁４０の遠位端と嵌合係合する。一部の実施形態では、エンドキャップ３５は、筐体２６内に軸方向の位置合わせを維持するために、近位に位置する凹部５０（図４７）内の隔壁４０の遠位端を受け取るように構成される。他の実施形態では、隔壁４０は、エンドキャップ３５の近位端を受け取るように構成される。エンドキャップ３５は、封止の完全性のみを十分に提供し、１つ以上の成分、製剤または製品を筐体チューブの用量チャンバ内に維持するために、筐体２６の側壁３０の内径３２と干渉係合される。一部の実施形態では、エンドキャップ３５は、プロピレンおよびエチレン材料からなる。一部の実施形態では、エンドキャップ３５および筐体チューブ２６の内部側壁は、高度に研磨された合わせ面で作成される。これらの高度に研磨された面は、密接な接触状態にあるとき、湿度に対する優れた封止の完全性を提供し、製品の完全性を維持する。このような研磨方法は、当業者には公知である。
【００４９】
一実施形態では、エンドキャップ３５は、隔壁４０の遠位端と、隔壁４０の遠位端と嵌合係合するエンドキャップ凹部５０の近位面との間のライナを含むが、ライナに対しては封止界面および追加された取外し可能な抵抗を提供するように構成されることができる。外側を材料で被覆された小さいフォイルディスクが切断され、隔壁４０を許容するように形成されたエンドキャップ５０の近位凹部の底部の中に配置される。ライナは、フォイルライナの付着で一般的なＲＦ（無線周波数）封止処理を使用する、近位のエンドキャップ凹部５０においてエンドキャップ３５および隔壁４０の両方の部分に溶接される。このタイプのライナと溶接することは、（ｉ）溶接の強度は、エンドキャップ３５が隔壁４０から容易に分離できないように、非常に強く、（ｉｉ）溶接は、（スピン溶接、音波溶接および熱ステーキ溶接）より的を絞られ、したがってエンドキャップの外部と同様にデバイスの他の近隣部を筐体チューブに接着することを回避する、いくつかの利点を有する。
【００５０】
別の実施形態では、エンドキャップ３５は、図４６および４７に示されたように、遠位凹部５２を有するように構成される。遠位エンドキャップ凹部５２は、溶接処理からのあらゆる残余プラスチックのための空間を提供して、提供された場合は、特異なままでエンドプレート封止３６（以下に記載される）を破裂する残余プラスチックの危険性を軽減する。
【００５１】
別の実施形態では、近位エンドキャップの凹部５０は、２つの追加の遠位に配置された空間４９（図４６および４７）を備える。これらの空間は、万能分注密閉具の溶接処理から得られる中心フラッシュを受け取るように提供される。中心フラッシュ距離４９は、適切な軸方向の位置合わせを維持するために支援する、万能分注密閉具の機構およびエンドキャップの定置への妨害を回避するように、中心フラッシュを保有する。
【００５２】
一部の実施形態では、隔壁４０およびエンドキャップ３５は、エンドキャップ３５が非作動状態で筐体２９の遠位端と同一面であるような寸法で構成されている。他の実施形態では、隔壁４０およびエンドキャップ３５は、エンドキャップ３５が非作動状態で筐体２９の遠位端の近位に位置するような寸法で構成されている（図４６および４７）。後者の実施形態は、エンドプレート封止３６を備える万能分注デバイスに有益である（以下に記載される）。非作動状態で筐体２９の遠位端により近位の位置にある非フラッシュのエンドキャップ３５は、エンドプレート封止３６の放射状の封止を筐体チューブ２６の遠位環状縁部３４に向上させる。エンドプレート封止３６は、筐体チューブ２６の遠位環状縁部３４に適切に取り付け、エンドプレート封止３６をエンドキャップ３５にそれ自体が接触することを回避し、エンドキャップ３５が筐体２６を封止することを回避することを確実にする。他の実施形態では、筐体チューブ２６をともに備えるエンドキャップ３５は、密閉具スカート２７の遠位環状縁部３４を超えて突出する。
【００５３】
エンドプレート封止
一部の実施形態では、エンドプレート封止３６を使用して、筐体チューブ２６の遠位環状縁部３４に保護封止を提供する。エンドプレート３６は、図２９に例示されたように、筐体チューブ２９の遠位基部端部を横切って延在する。エンドプレートは、筐体２６の遠位環状縁部３４で封止される。エンドプレート封止３６は、押圧部分２３、２４が凹形の形状２５に反転される際に、係合した隔壁４０がエンドプレートに力を印加して、エンドプレーをせん断し破砕する、折れる性質の薄くて折れやすい種々の材料で作成されてよい。別の実施形態では、エンドキャップ３５に係合する隔壁は、エンドプレート封止に力を印加すると、エンドプレートがせん断し破砕する。一部の実施形態では、フォイルライナは、筐体チューブの内部を封止するために、エンドキャップの遠位基部および筐体チューブの遠位基部に付着される。エンドプレート封止によって生成された密閉具は、製品の有効性を加え、早計に破壊された場合は、タンパーエビデントを提供するために使用される。
【００５４】
他の実施形態では、フォイルエンドプレート封止３６は、一般的な配送、ファイリングおよび落下試験を通過し、製品の完全性を維持するために、十分な機械的支持を提供するように、フォイルの面全体に渡ってプラスチックによって支持される。また、支持するプラスチックの使用により、大部分のフォイルを、万能反転ドーム分注密閉デバイス構成部品を形作るために使用される、ポリプロピレン（ＰＰ）および高密度のポリエチレン（ＨＤＰＥ）の両方の重合体に密接に取り付けることが可能になり、それによって、分注時に受容器の中に落ちるフォイル微粒子の量が低減される。プラスチックライニングも、成分の鮮度および製品の完全性の目的で封止を補強する。
【００５５】
隔壁端部取付具
一部の実施形態では、万能反転押圧部分分注密閉具は、図２７に例示されたように、隔壁端部取付具３７をさらに備える。この個別の取付具を使用して、エンドプレート封止３６のフォイルタイプを捕捉する。隔壁端部取付具３７は、エンドプレート３６を破砕または開くのに必要とされる力を低減するために、エンドプレート３６上に一様でない押圧を印加する方式で構成される。隔壁端部取付具３７は、概して用量チャンバ３８から径が低減されて、隔壁４０および押圧部分の反転２５が自由に移動できるようになる。隔壁端部取付具３７は、１つ以上の放射状のビード４１を含むように構成されており、大きいカップ状の構成である。一旦押圧部分が反転されると、隔壁端部取付具は、エンドプレート３６に対して十分な力で作用して、エンドプレート封止を剥離する。エンドプレート封止３６は、カップ形状の隔壁端部取付具を許容する程度に十分な可撓性があり、隔壁端部取付具のカップ端部内部に配置された放射状のビード内に可撓性の封止を保持する。
【００５６】
万能密閉放射状スカート
筐体２６は、万能密閉放射状スカート２７に取り付けられる。万能密閉放射状スカート２７は、万能反転ドーム分注密閉デバイスを筐体から分注される１つ以上の成分、製剤または製品を受け取ることができる受容器６６に取り付ける働きをする。図１Ａおよび１Ｂを参照すると、密閉放射状スカート２７は、近位上部デッキまたは最上部３９、周側壁４４、および遠位環状縁部４５を有する。万能密閉放射状スカート２７は、万能密閉具に対して上述のように形体および機能を備える。一部の実施形態では、万能密閉放射状スカート２７は、筐体２６より大きい径を有する。他の実施形態では、万能密閉放射状スカート２７は、筐体チューブと実質的に同じ外径を有する。図３０〜３２および３４に示されたように、一部の実施形態には、エンドユーザがより良好に保持するために、長手方向の指かけ凹状構成要素４６が密閉放射状スカートの外側壁４４上に存在する。
【００５７】
密閉スカート２７に対する筐体２６の位置は、異なってもよい。一部の実施形態には、筐体２９の遠位端は、密閉スカートの遠位環状縁部４５を超えて位置する（たとえば、図１Ｂ）。他の実施形態には、筐体２９の遠位端は、密閉スカートの遠位環状縁部４５に近接して位置する。さらに他の実施形態には、筐体２９の遠位端は、密閉スカートの遠位環状縁部４５と同一平面に位置する（たとえば、図１２）。
【００５８】
本発明の一実施形態では、製品、製品の混合物を分注するための受容器の開口部との封止係合を提供し、製品の混合物をこぼすまたは汚染することなく保有することができる、万能分注密閉具が存在し、用量チャンバおよび１つ以上の成分、製剤または製品を分注するためのユーザ作動手段を有する筐体、ならびに近位最上部、遠位環状縁部、側壁および１つ以上の種々の寸法の変形可能な従属放射状の、軸方向の、傾斜した、弧状の突起またはこれらの組み合わせを有する密閉放射状スカートを備える。別の実施形態では、万能分注密閉具は、用量チャンバおよび１つ以上の成分、製剤または製品を分注するためのユーザ作動手段を有する筐体、ならびに近位最上部、側壁およびプラグ封止を備える密閉放射状スカートを備える。他の実施形態では、間隔径、２つ以上のスペーサリブ、２つ以上のネジ式係合突出部、１つ以上の先細のリブまたはこれらの組み合わせをさらに備える。
【００５９】
本発明の別の態様は、製品の用量または供給を、エンドユーザが決定した所望の使用位置まで、収納、保管および運ぶことができる万能分注密閉デバイスを提供する。
【００６０】
本発明の別の態様は、１つ以上の成分、製剤または製品を使用時に分注できる万能密閉デバイスを提供する。一部の態様における本発明の万能分注密閉デバイスは、密閉装置から分注された１つ以上の成分、製剤または製品を受け取ることができる貯蔵器、容器または器に取り付けられる。一部の実施形態における本発明の万能分注密閉デバイスは、凸状のドームまたは円錐台と同様の押圧部分を備え、押圧されると押圧部分が反転して凹形の構成を形成し、それによって１つ以上の成分、製剤または製品の分注が活性化させる。
【００６１】
本発明の一実施形態では、万能密閉具は、押圧部分、隔壁、およびエンドプレート封止を有する筐体、反転ドーム分注密閉具に取り付けられた受容器、ならびに１つ以上の成分、製剤または製品を、該万能反転押圧部分分注密閉具から分注するためのユーザ作動手段を備える、万能反転押圧部分分注密閉具である。一部の実施形態では、万能反転押圧部分分注密閉具の筐体は、エンドキャップまたは隔壁端部取付具をさらに備える。一部の実施形態では、押圧部分は、凹形の構成の中に押圧することができる円錐台である。一部の実施形態では、分注するためのユーザ作動手段は、押圧部分に対して押圧力の印加を備えて、反転した押圧部分が凹形の構成になる。
【００６２】
別の実施形態には、（ａ）近位最上端部の押圧部分、遠位基部のエンドプレート封止、押圧部分の頂部から筐体の基部に向かって従属する筐体内で軸方向に位置合わせされた隔壁を備える筐体、および（ｂ）筐体の外径に取り付けられ、筐体より大きい外径を有し、種々の寸法の従属放射状の突起を有し、その中の１つ以上の成分、製剤または製品を分注するための受容器に取り付けることができる、密閉放射状スカートを備える受容器に、万能分注密閉デバイスを取り付ける手段を備える、万能分注密閉デバイスが存在する。
【００６３】
別の実施形態には、（ａ）近位最上端部の押圧部分、遠位基部のエンドプレート封止、押圧部分の頂部から筐体の基部に向かって従属する筐体内で軸方向に位置合わせされた隔壁、隔壁の基部と嵌合係合するエンドキャップを備える筐体、および（ｂ）筐体の外径に取り付けられ、種々の寸法の１つ以上の変形可能な従属突起を有し、その中の１つ以上の成分、製剤または製品を分注するための受容器に取り付けることができる、密閉放射状スカートを備える受容器に、万能分注密閉デバイスを取り付ける手段を備える、万能分注密閉デバイスが存在する。
【００６４】
別の実施形態には、（ａ）筐体、および（ｂ）万能分注密閉デバイスを受容器に取り付ける、取り外す、かつ再度取り付けるための取付手段、（ｃ）近位最上端部の押圧部分、遠位基部のエンドキャップ、押圧部分の頂部から筐体の基部に向かって従属する筐体内で軸方向に位置合わせされた隔壁を備える筐体、および（ｄ）筐体の外径に取り付けられ、種々の寸法の１つ以上の変形可能な従属突起を有し、その中の１つ以上の成分、製剤または製品を分注するための受容器に取り付けることができる、密閉放射状スカートを備える取付手段を備える、万能分注密閉デバイスが存在する。一部の実施形態では、筐体は、その中に用量チャンバを含有する成分をさらに備える。一部の実施形態では、筐体は、筐体の遠位基部にエンドプレート封止をさらに備える。
【００６５】
別の実施形態には、（ａ）用量チャンバおよび１つ以上の成分、製剤または製品を分注するためのユーザ作動手段、ならびに（ｂ）筐体に軸方向に位置合わせされて筐体の外径に取り付けられ、筐体より大きい外径を有し、種々の寸法の従属放射状の突起を有し、その中の１つ以上の成分、製剤または製品を分注するための受容器に取り付けることができる、密閉放射状スカートを備える受容器に、デバイスを取り付けるための取付手段を備える、万能反転押圧部分保管室ならびに分注密閉デバイスが存在する。一部の実施形態では、分注するためのユーザ作動手段は、凸状のドーム、隔壁、エンドキャップを備える。一部の実施形態では、分注するためのユーザ作動手段は、円錐台、隔壁、およびエンドキャップを備える。他の実施形態では、分注するためのユーザ作動手段は、エンドプレート封止をさらに備える。一部の実施形態では、分注するためのユーザ作動手段は、凸状のドーム、隔壁、隔壁端部取付具およびエンドプレート封止を備える。一部の実施形態では、分注するためのユーザ作動手段は、円錐台、隔壁、隔壁端部取付具およびエンドプレート封止を備える。
【００６６】
受容器
本発明の万能密閉デバイスは、種々の受容器に取り付けられ、種々の受容器に封止係合を提供するように構成される。受容器は、本出願の万能分注密閉デバイスに取り付けることができる、種々のサイズおよび形状のあらゆる容器、貯蔵器または器であってもよい。受容器は、ガラス、プラスチックまたは他の同様の材料で作られてもよい。一部の実施形態では、受容器は、それに取り付けるためのネジ山付きの首を有する。一部の実施形態では、受容器は、製造業者により本発明の万能分注密閉具に取り付けられる。他の実施形態では、受容器は、エンドユーザにより、使用時点で本発明の万能分注密閉デバイスに取り付けられる。一部の実施形態では、受容器は、使用時点で取付前にエンドユーザが取り外すことができる、器の開口部のランドに柔軟な封止を有する。器の開口部のランドの柔軟な封止は、受容器の製品の完全性を維持するために使用される。他の実施形態では、受容器は、取外し可能なネジ式キャップ、または一旦取り外されると、万能分注密閉デバイスに取り付けることができるこのような他の取外し可能な最上部を有する。
【００６７】
非限定の例示的受容器は、ボトル、他の飲料容器、紙バック、水筒、直立形パウチ、缶、フラスコ瓶、ガラス瓶など含む。
【００６８】
受容器の１つ以上の成分、製剤または製品のタイプおよび形は無制限である。受容器の成分の非限定の例示的形は、飲料、ドリンク、浸出液、液体、ショット、懸濁液、シロップおよび酒類を含む。受容器の１つ以上の成分、製剤または製品の非限定の例は、水、スポーツドリンク、調理済み飲料、ダイエット飲料、栄養ドリンクを含む。受容器はまた、その中に分注された薬剤、覚醒剤または調剤をエンドユーザがより摂取しやすいために、賦形剤、酸味料、甘味料、香味剤および着色剤を含んでもよい。
【００６９】
材料
万能反転ドーム分注密閉デバイスの材料は、主にプロピレンおよびエチレン材料またはこれらの組み合わせからなる。一部の実施形態では、材料は、ポリプロピレン（ＰＰ）および／またはポリエチレン（ＰＥ）材料である。一部の実施形態では、材料は、高密度のポリエチレン（ＨＤＰＥ）である。可撓性の性質の代替材料もまた、熱可塑性エラストマーおよび可撓性を十分に提供する、より低い係数の他のものなどを利用することができる。別の実施形態では、万能分注密閉デバイスは、紫外線を遮断する材料で作成される。
【００７０】
タンパーエビデントおよび保護構成要素
本発明の別の態様は、エンドユーザに不注意な分注または製品の不正開封が生じたかどうかを示し、偶発的な、不注意なまたは早計の分注から保護する、上述のような使用時万能分注密閉デバイスを提供する。
【００７１】
反転ドーム構成
一部の実施形態では、本発明の万能分注デバイスの凸状のドーム２３は、それ自体が不正開封されたことを示すように構成されてもよい。タンパーエビデントの一実施形態では、凸状のドームは、再分注の準備ができていない、または凹状の活性位置から凸状のアーム状態に移動して使用できる位置に戻るような方式に設計される。一旦活性化したドームは、独自に屈曲前の位置には戻らない。放射状のヒンジ４７、４８は、活性化したドームの反転した凹状の位置を維持するように作用する。一旦反転すると、次いで凹形の構成２５のドームは、筐体チューブの近位上部縁部の下に存在して、再反転は十分にできない。使用時前にドームが反転すると、不正開封および／または早計の分注を示す。
【００７２】
折畳み式タブ
図２８〜３１に示されたように、一部の実施形態には、不注意な活性化および分注を防ぐために、凸状のドームに加えられる折畳み式タブまたはトラス５３が存在する。折畳み式取付具は、筐体チューブからドームが取り付けられている筐体チューブまで、または密閉放射状スカート２７のデッキ６９から延在するように構成することができる。トラス５３は、筐体チューブ２６または密閉放射状スカートのデッキ６９に外側にヒンジで連結された取付具５４を有する。一部の実施形態では、トラス５３はまた、ドームとトラスの中央にある、およびドームの近位端とトラスの遠位底面との間に、折畳み式取付具５５を有する。トラスの底面が凸状のドームの外径にもはや連結しないように、壊れた剥離取付具５５は、不正開封が生じたことを示す。一部の実施形態には、顧客使用を容易にするために、トラス５３の構成と筐体チューブ２６と凸状のドーム２３との間に空間５６が存在する。また、トラス５３および剥離取付具５５は、器内部の密閉具の端部上に真空が形成された場合、凸状のドーム２３を早計の分注から保護するために使用される。
【００７３】
万能反転ドーム分注密閉具は、凸状のドーム２３の最上部から折り畳む方式で、トラス５３上を押圧することによって活性化される。折り畳む動きにより、剥離取付具５５をせん断し、ドームの外縁部を超えて筐体チューブの放射状縁部５７に向かってヒンジで連結されて枢動する５４（図３７および３８）。トラス５３は、トラスがドームを超えて移動して戻ることを防ぐために、筐体チューブ５７の放射状縁部と干渉係合を有するように構成される。
【００７４】
また、本明細書に記載されたように、折畳み式トラスまたはタブ５３は、不注意な活性化および製品の分注を防ぐために、また不正開封の表示として使用するために、円錐台２４の押圧部分とともに利用されてもよい。
【００７５】
放射状のリム
図２５〜２７および３２に示されたように、一部の実施形態では、凸状のドームは、不注意な作動を防ぐために、ドームを中心とした周囲の構造、立位放射状リム５８を有するように構成することができる。一部の実施形態では、立位放射状リム５８は、１つ以上のポートまたは開口部備えて構成されてもよく、ユーザのアクセス、または洗浄後の水抜きをより容易にすることが可能になる。別の実施形態では、立位放射状リムは取外し可能である。取外し可能な立位放射状リムは、リムを筐体から取り外して使用時の作動のために、凸状のドームにより容易なアクセスを提供するプルタブ５９をさらに備える。エンドユーザが作動前に放射状のリムを取り外すと、不正開封が示される。また、本明細書に記載されたように、放射状のリムは、円錐形状の押圧部分を不注意な活性化および製品の分注から保護し、不正開封の表示として利用されてもよい。
【００７６】
保護オーバーキャップ
図２２〜２４、３３〜３６に示されたように、万能反転押圧部分分注密閉具の一部の実施形態は、凸状のドームまたは円錐台から凹状の位置への不注意な反転を防ぐために、取外し可能な保護オーバーキャップ６０をさらに備える。保護オーバーキャップ６０は、保護オーバーキャップに対する適度な力がドームを反転させないように、キャップと押圧部分との間の空間を残して押圧部分を包囲する。一部の実施形態では、保護オーバーキャップを反転ドーム開示デバイスに連結するヒンジ６１が存在し、キャップの取外しおよび再取付が可能になる。ヒンジ６１は、保護オーバーキャップを放射状密閉スカートまたは筐体の外径に連結してもよい。他の実施形態では、一旦保護オーバーキャップが取り外されると、保護オーバーキャップは再取付できない。プルタブを使用して、保護オーバーキャップを取り外してもよい。プルタブが作動している場合、使用時点より前に取り外されると、不正開封を示すことができる。
【００７７】
タンパーエビデント・スカート
図３０〜３２、３４に示されたように一部の実施形態では、密閉放射状スカートは、反転押圧部分分注密閉具の取外しを防ぐために、取り付けられた受容器の首と干渉係合する、その遠位環状縁部４５に取外し可能に取り付けられた、折れやすいタンパーエビデント（ＴＥ）スカート６２を有する。一実施形態には、引っ張られるとＴＥスカート６２を密閉放射状スカートとのその係合から剥離する、プルタブ６３が存在する。別の実施形態では、ＴＥスカート６２は、密閉放射状スカートの反時計回り方向へのねじり運動の印加が、ＴＥスカート６２を剥離するように、１つ以上の剥離式タブ６４（図３４）によって取り付けられる。使用時点で受容器と干渉係合しないＴＥスカートは、不正開封を示す。密閉放射状スカートは、従属タンパーエビデント・スカート帯を伴って、または従属タンパーエビデント・スカート帯なしで使用できる。
【００７８】
作動機構
一部の実施形態では、筐体チューブ２６の用量チャンバ３８内に保存された1つ以上の成分、製剤または製品は、押圧部分２３、２４に力を印加することによって放出される。一部の実施形態では、エンドユーザが押圧部分を押圧する。作動機構の実施形態は、図３８〜４１に示されている。凸状のドーム２３は、凸状のドーム２３が反転するまで下方または内方に押圧され、次いで凹形の構成２５を維持する。この作動は、エンドキャップ３５に取り付けられた従属隔壁４０上に直接作用する。隔壁４０は、エンドキャップ３５が筐体の径内のその不活性位置から、筐体２９の遠位端の下のその活性位置まで垂直下方に押圧されて移動する。また、この移動により、エンドキャップがエンドプレート封止３６のライニングを破壊し、筐体チューブの用量チャンバ３８内の1つ以上の成分、製剤または製品にチューブから出る経路を与える。チューブから出る経路は、隔壁の遠位基部領域を除く筐体２９の遠位基部の全領域周辺の分注を最大にするための、離間した開口部またはポート３９である。
【００７９】
図２４に示されたように（準備されたまたは不活性の形の）別の実施形態では、隔壁４０は、エンドプレート封止３６を剥離するために、十分な力でエンドプレート封止３６上に直接作用する。
【００８０】
図２７に示されたように（準備されたまたは不活性の形の）別の実施形態では、隔壁４０は、隔壁端部取付具３７上に直接作用する。次いで隔壁端部取付具３７は、エンドプレート封止３６を剥離するために十分な力でエンドプレート封止３６上に作用する。隔壁端部取付具のカップ状の端部内の1つ以上の放射状のビード４１は、破損したエンドプレート封止を保持する。
【００８１】
一部の実施形態では、本発明のユーザ作動分注手段は、それから1つ以上の成分、製剤または製品が分注される、分注ポート３９のサイズを最大にする。開示されたユーザ作動分注手段は、筐体２９の遠位端に離間した開口部３９を提供して、1つ以上の成分、製剤または製品が用量チャンバ３８から出て分注されることが可能になる。この生成された離間した開口部は、分注ポートである。1つ以上の成分、製剤または製品６５は、筐体の用量チャンバ３８から受容器の中に直接流れ込むことができる。一部の実施形態では、分注ポート３９は、実質的に筐体と同じ径である。一部の実施形態では、分注ポート３９は、実質的に隔壁４０の遠位基部領域を除く筐体の遠位基部領域を有する。
【００８２】
万能反転押圧部分分注密閉デバイスは、製品の用量または供給をそれが取り付けられている器の中に供給するための、１片単一動作の送達方法である。設計は、直観的に使用できるものであり、エンドユーザによるワンタッチの容易な操作を要する。分注に必要なねじり運動はなく、また筐体チューブ内に長いスリーブまたは他の妨害する拡張部がなく、それによって製品による分注の操作モードの妨害を回避または緩和する。
【００８３】
本発明の万能分注密閉具は、組立体を簡単にする構成要素および材料を最小にする。本発明の万能分注密閉具は、市場の他の密閉具より少ない部品で構築される。製造するための構成要素がより少なく、構成要素は使用される材料の量を最小にするために製造されるので、本発明の分注密閉具は、製造能力を向上し、環境影響を低減するために、使用する材料はより少ない。また、本発明の構成要素はより少ないことにより、組立およびファイリングも簡単になる。
【００８４】
用量チャンバ３８は、筐体２９の遠位基部から反転位置における筐体で満たされる。一部の実施形態では、筐体２９の遠位基部は、開いているか、またはエンドキャップ３５、隔壁端部取付具３７および／もしくはエンドプレート封止３６によってまだ封止されていない。筐体チューブの遠位端３９の空間は、様々な精巧性の自動および半自動充填機器で用量チャンバを容易に充填するための目標を提供する。その比較的大きい目標により、自動組立が、達成された適切な充填を容易に配置し、指標を付け、充填し、検知できるようになる。
【００８５】
用量の分注方法
本発明の別の態様には、本発明の万能分注密閉デバイスを提供することを備える、用量または1つ以上の成分、製剤もしくは製品を供給または分注する方法、ならびにそこから1つ以上の成分、製剤もしくは製品を分注する方法が存在する。一部の実施形態では、分注開示デバイスは、受容器に取り付けられて提供される。他の実施形態では、万能分注密閉デバイスへの受容器の取付けは、エンドユーザによって実行される。
【００８６】
一実施形態には、1つ以上の成分、製剤または製品の一用量を、（ａ）隔壁、凸状のドーム、およびエンドプレート封止を備える筐体、ならびにその中に保存された1つ以上の成分、製剤または製品を有する万能反転ドーム分注密閉具を提供するステップと、（ｂ）別の組の1つ以上の成分、製剤または製品を有し、反転ドーム分注密閉具から1つ以上の成分、製剤または製品を受け取ることができる受容器を提供するステップと、（ｃ）万能反転ドーム分注密閉具を受容器に取り付けるステップと、（ｄ）ユーザ作動手段により、万能反転ドーム分注密閉具から1つ以上の成分、製剤または製品を受容器に分注するステップと、を備える、混合物に対して別の組の1つ以上の成分、製剤または製品に供給する方法が存在する。一部の実施形態では、筐体は、エンドキャップをさらに備える。他の実施形態では、筐体は、隔壁端部取付具をさらに備える。一部の実施形態では、万能反転ドーム分注密閉具は、それをネジ留めすることによって受容器に取り付けられる。他の実施形態では、万能分注デバイスは、受容容器の首上に押圧される。
【００８７】
別の実施形態には、1つ以上の成分、製剤または製品の第１の組の用量を、（ａ）受容器に取り付けられた万能反転押圧部分分注密閉具を提供するステップであって、万能反転押圧部分分注密閉具は、押圧部分、隔壁、エンドプレート封止、およびその中に保存された1つ以上の成分、製剤または製品の第１の組を有する筐体を備える、ステップと、（ｂ）万能反転押圧部分分注密閉具からユーザ作動手段により、1つ以上の成分、製剤または製品の第１の組を受容器に分注するステップと、を備える、1つ以上の成分、製剤または製品の第２の組に供給する方法が存在する。一部の実施形態では、筐体は、エンドキャップまたは隔壁端部取付具をさらに備える。一実施形態では、ユーザ作動手段は、押圧部分に対して押圧力を印加することを備える。
【００８８】
別の実施形態には、1つ以上の成分、製剤または製品を備える第１の構成要素の用量を、（ａ）受容器に取り付けられた万能反転押圧部分分注密閉具を提供するステップであって、万能反転押圧部分分注密閉具は、ユーザ作動分注手段およびその中に保存された第１の構成要素を有する用量チャンバを備える筐体を備える、提供するステップと、（ｂ）万能反転押圧部分分注密閉具からユーザ作動手段により、第１の構成要素をその中に第２の構成要素を有する受領器に分注するステップと、を備える、1つ以上の成分、製剤または製品の別の組を備える第２の構成要素に供給する方法が存在する。一部の実施形態では、ユーザ作動分注手段は、押圧部分および隔壁を備える。一部の実施形態では、ユーザ作動分注手段は、押圧部分、隔壁およびエンドキャップを備える。他の実施形態では、ユーザ作動分注手段は、押圧部分、隔壁および隔壁端部取付具を備える。一実施形態では、ユーザ作動手段は、押圧部分に対して押圧力を印加することを備える。
【００８９】
別の実施形態には、1つ以上の成分、製剤または製品の第１の組の用量を、（ａ）受容器に取り付けることができる万能反転押圧部分分注密閉具を提供するステップであって、万能反転押圧部分分注密閉具は、押圧部分、隔壁、およびエンドプレート封止を有する筐体、ならびにその中に保存された1つ以上の成分、製剤または製品の第１の組を備える、ステップと、（ｂ）万能反転押圧部分分注密閉具を受容器に取り付けるステップと、（ｃ）万能反転ドーム分注密閉具からユーザ作動手段により、1つ以上の成分の第１の組を1つ以上の成分の第２の組を備える受領器に分注するステップと、を備える、1つ以上の成分、製剤または製品の第２の組に供給する方法が存在する。一部の実施形態では、筐体は、エンドキャップをさらに備える。他の実施形態では、筐体は、隔壁端部取付具をさらに備える。
【００９０】
別の実施形態には、1つ以上の成分、製剤または製品の第１の組の用量を、（ａ）受容器に取り付けることができる万能反転押圧部分分注密閉具を提供するステップであって、万能反転押圧部分分注密閉具は、押圧部分、隔壁、およびエンドプレート封止、ならびにその中に保存された1つ以上の成分、製剤または製品の第１の組を有する筐体を備える、ステップと、（ｂ）万能反転押圧部分分注密閉具を、密閉放射状スカートを用いて受容器に取り付けるステップと、（ｃ）万能反転ドーム分注密閉具からユーザ作動手段により、1つ以上の成分、製剤または製品の第１の組を1つ以上の成分、製剤または製品の第２の組を備える受領器に分注するステップと、を備える、1つ以上の成分、製剤または製品の第２の組に供給する方法が存在する。一部の実施形態では、筐体は、エンドキャップまたは隔壁端部取付具をさらに備える。一実施形態では、ユーザ作動手段は、押圧部分に対して押圧力が印加される。一部の実施形態では、密閉放射状スカートは、近位デッキ、遠位環状縁部、周側壁および1つ以上の変形可能な従属突起を備える。別の実施形態では、密閉放射状スカートは、近位デッキ、遠位環状縁部、周側壁およびプラグ封止を備える。
【００９１】
本発明の別の実施形態には、第１の１つ以上の製品の用量を、（ａ）第１の１つ以上の製品を保持できる筐体を有する万能反転ドーム分注密閉具を提供するステップであって、筐体は、隔壁、凸状のドーム、エンドプレート封止、および１つ以上の製品を分注するユーザ作動手段を備える、ステップと、（ｂ）第２の１つ以上の製品を有し、第１の1つ以上の製品を反転ドーム分注密閉具から受け取ることができる受容器を提供するステップと、（ｃ）万能反転ドーム分注密閉具を、密閉放射状スカートを用いて受容器に取り付けるステップと、（ｄ）ユーザ作動手段により、第１の１つ以上の製品を受容器に分注するステップと、を備える第２の１つ以上の製品に供給する方法が存在する。一部の実施形態では、筐体は、エンドキャップをさらに備える。他の実施形態では、筐体は、隔壁端部取付具をさらに備える。一実施形態では、ユーザ作動手段は、凸状のドームに対して押圧力を印加することを備え、凸状のドームの反転が凹形の構成を引き起こす。一部の実施形態には、第１の１つ以上の製品を分注まで筐体内に包含することができる用量チャンバが存在する。一部の実施形態では、密閉放射状スカートは、近位デッキ、遠位環状縁部、周側壁および1つ以上の変形可能な従属突起を備える。他の実施形態では、密閉放射状スカートは、近位デッキ、遠位環状縁部、周側壁およびプラグ封止を備える。他の実施形態では、密閉放射状スカートは、1つ以上の変形可能な従属突起およびプラグ封止を備える。一実施形態では、万能反転ドーム分注密閉具は、製造業者により受容器に取り付けられる。別の実施形態では、万能反転ドーム分注密閉具は、エンドユーザにより使用時に受容器に取り付けられる。万能反転ドーム分注密閉具は、取外し可能であり、エンドユーザが受容器から再取付けすることができる。
【００９２】
付着
一部の実施形態では、本発明の万能分注密閉具は、第１の構成要素で充填されるように設計され、エンドユーザによる使用時点までその中に第１の構成要素を保存し、エンドユーザによる使用時点に受領器に包含された第２の構成要素と混合または組み合わせるために、第１の構成要素を供給するように使用される。第１および第２の構成要素は、単一化合物、混合物、溶液、カプセル、液体、懸濁液、粉末、錠剤、水溶性、水分散性、またはあらゆる他の含有可能な構成要素、成分、製剤または製品の形であってもよい。第１の構成要素は、エンドユーザにより第２の構成要素に加えられる。事前にパッケージされた第１の構成要素の詰め合わせから選択する能力によって、エンドユーザは第１および第２の構成要素を個別に購入し、保存することが可能になる。第１および第２の構成要素はまた、一緒にパッケージされてもよい。本発明は、たとえば、傷み難い第２の構成要素を室温で保存し、第１の構成要素を適切に保存し、恐らく別個に保管し、後に第２の構成要素に加えるのに有益である。本発明は、湿度に弱いまたは混合された構成要素の有効性を変化させる、たとえば強度または値が混合後に失われるまたは変化する、副産物を形成することによって第２の構成要素と相互作用するものと同様に、影響を受けやすい第１の構成要素に有効である。本発明の万能密閉分注デバイスは、第２の構成要素に加える直前まで、特別な保管および／または取扱い、たとえば冷却、乾燥、または加熱を必要とすることがある、第１の構成要素の分離保持に有効である。本発明はまた、不安定なおよび／または無菌の構成要素を、飲料、液体経腸栄養食または薬剤などの第２の構成要素に加える、たとえばビタミンまたは有益な胃腸内微生物を果汁、牛乳、水および薬剤に加えるのにも有効である。さらに本発明がどのように有効かという非限定の例が以下に提供される。
【００９３】
飲料
万能密閉分注デバイスは、様々なタイプおよび使用の飲料、液体もしくはドリンクと混合、追加、調合、または補うのに有効な成分を備えることができる。万能密閉分注デバイスを使用して調合できる飲料作成の一部のタイプの非限定の例には、二日酔いの予防、水分補給、酸化防止、プロバイオティクス、免疫力向上、エネルギー増強、健康増進、日常のビタミン補給剤、日常のミネラル補給剤、骨の健康、消化管の健康、内側からの美、皮膚の健康、関節の健康、および耐久力、スーパーフルーツ、スーパーフード、スーパーベリー、植物、葉野菜、ハーブ、抽出物、プレバイオティック、知力、減量、栄養補給剤、目の健康、カロテノイド、スポーツ栄養、筋肉増強、遊離アミノ酸、運動処方、緩和、抗ストレス、糖尿病予防、心臓の健康、良好な血液循環、機能、および回復が含まれる。
【００９４】
一実施形態では、万能密閉分注デバイスは、減少したカロリー飲料を調剤するための成分を備える。一部の実施形態では、飲料は、たとえばエリトリトール、Ｄ−タガトース、または1つ以上のステビオシドなどの、非栄養性甘味料を備える。本発明の様々な態様では、1つ以上のステビオシドは、ステビオシド、レバウジオシドＡ、レバウジオシドＢ、レバウジオシドＣ、ズルコシドＡ、ルブソシド、ステビオルビオシド、糖転移反応のその派生物、ステビア抽出物、およびこれらの組み合わせからなる群から選択される。ある種の実施形態では、ステビオシドは、ステビア抽出物を備える。一部の実施形態では、非栄養性甘味料は、アスパルテーム、アセスルファム塩、サッカリン、チクロ、スクラロース、アリターム、ネオターム、ステビオシド、グリチルリチン、ラカンカ、ネオヘスペリジンジヒドロカルコン、モナチン、モネリン、タウマチン、およびブラゼインから選択され、糖アルコールは、ソルビトール、マンニトール、ラクチトール、マルチトール、キシリトール、エリスリトールおよびこれらの組み合わせから選択される。
【００９５】
本発明の万能密閉分注デバイスとともに使用するために適切な飲料のタイプは、これに限定されるものではないが、清涼飲料水、コーヒー飲料、茶系飲料、粉末清涼飲料水、原液、フレーバーウォーター、強化水、果汁および果汁フレーバードリンク、ならびにスポーツドリンクを含む。
【００９６】
万能密閉分注デバイス内の減少したカロリー飲料に通常使用される、あらゆる他の成分を含むことが可能である。たとえば、限定なしに、酸味料、香味料、ポリデキストロース、ファイバーソル、アラビノガラクタン、キトサン、キチン、キサンタン、ペクチン、セルロース、コンニャク、アラビア・ゴム、加工デンプン、大豆繊維、イヌリン、イヌロース、加水分解グアー、グアーガム、ベータグルカン、カラギーナン、ローカストビーンガム、アルギン酸塩、アルギン酸ポリグリコールなどの可溶性低カロリー繊維、ユッカまたはユッカ／キラヤ抽出物などの泡安定剤、ナトリウム、カルシウムおよび塩化カリウムなどの塩、モノグリセリド、ジグリセリド、レシチンおよびその留分などの食品等級界面活性剤、ならびにツイン、スパン、グリセリン脂肪酸エステル、クエン酸エステルなどの合成界面活性剤を含むことが可能である。
【００９７】
栄養甘味料はまた、非栄養甘味料に加えて、または非栄養甘味料の代わりに含まれることも可能である。「栄養」甘味料は、通常の使用量で著しいカロリー内容を提供するもの、すなわち乾燥重量の１グラム当たり約４カロリーより多いものである。このような甘味料は、限定なしに、フルクトース、蔗糖、グルコース、マルトース、トレハロース、ラムノース、コーンシロップおよびフラクトオリゴ糖を含む。
【００９８】
別の実施形態では、万能密閉分注デバイスは、栄養ドリンクまたは健康飲料に有効な成分を備えることができる。このような成分は、たとえば、遊離アミノ酸、ビタミン、ミネラルおよび微量元素、電解質、単炭水化物および複合炭水化物、ならびに香味料補助剤を含むことができる。有効なアミノ酸は、Ｌ−イソロイシン、Ｌ−ロイシン、Ｌ−バリン、Ｌ−リシン、Ｌ−メチオニン、Ｌ−フェニルアラニン、Ｌ−トレオニン、およびＬ−トリプトファン、Ｌ−アラニン、Ｌ−アルギニン、Ｌ−アスパラギン酸、Ｌ−グルタミン酸、Ｌ−アミノ酢酸、Ｌ−ヒスチジン、Ｌ−プロリン、Ｌ−セリン、Ｌ−チロシン、およびＬ−システインを含むことができる。ビタミンなどの栄養素および同様の構成要素は、具体的にはビタミンＡ、ビタミンＤ３、ビタミンＣ、ビタミンＥ、葉酸、チアミン、リボフラビン、ナイシン、ビタミンＢ６、ビタミンＢ１２、ビオチン、パントテン酸、およびビタミンＫ１を含むことができる。例示的電解質は、ナトリウム、カリウム、マグネシウム、およびカルシウムを含む。電解質の適切な源は、以下に限定されないが、塩化ナトリウム、リン酸カリウム、クエン酸カリウム、コハク酸マグネシウムおよびパントテン酸カルシウムを含む。
【００９９】
別の実施形態では、万能密閉分注デバイスは、栄養ドリンクまたは健康飲料に有効な成分を備えることができる。このような成分は、たとえば、レスベラトロル、マキベリー、ハーブ抽出物、ハイビスカス、カモミール、スーパーフルーツ抽出物、スーパーベリー抽出物、鉄、スーパーフード抽出物、スーパーベリー、スーパーフルーツ、スーパーフード、ヒアルロン酸、ヒドロキシプロリン、アルファリボ酸、朝鮮人参、イチョウ、ハーブ、グルコサミン、コンドロイチン、オメガ３、オメガ６、オメガ９、脂肪酸、ＤＨＡ、ＥＰＡ、ＣＬＡ、フルーツフレーバ、エキゾチックフレーバを含むことができる。これは、懸濁液、分散液、または水溶性になる疎水性成分を含むことが可能である。
【０１００】
また、成分は、鉄、マグネシウム、銅、亜鉛、マンガン、セレン、モリブデン、クロムおよびヨウ化物を含む、ミネラルならびに微量元素を含んでもよい。
【０１０１】
また、これらの成分は、分枝鎖アミノ酸に加えて、主要カロリー源の１つとして働く炭水化物を含むこともできる。組成物の炭水化物の内容は、単糖類および多糖類の組み合わせであることが可能である。単糖（ｓｉｍｐｌｅ  ｓｕｇａｒｓ）、または単糖（ｍｏｎｏｓａｃｃｈａｒｉｄｅｓ）は、グルコース、トレハロース、デキストロース、フルクトース、またはコーンシロップであってもよい。二糖類は、蔗糖であることが可能であるが、他の二糖類が使用されてもよい。複合炭水化物は、ポリグルコースおよびマルトデキストリンを含む。香味補助剤は、成分の残りと組み合わせる際に、良い味の組成物を提供する、あらゆる従来の香味補助剤であってよい。従来の香味補助剤は、本明細書に記載されたような甘味料または、天然もしくは人工のブドウ、サクランボ、レモン、ライム、パンチ、ルートビア、オレンジ、グレープフルーツ、イチゴ、および他の香味料を含む。本発明のあらゆる特定の組成物におけるあらゆる特定の香味料の適合は、単純な味覚試験手段により容易に確認されてよい。
【０１０２】
本発明の万能分注密閉デバイスの別の実施形態は、液体と混合する二日酔い予防の調剤を備える保管および送達システムであり、二日酔いの予防または二日酔いを改善する飲料が得られる。
【０１０３】
一実施形態には、本発明の万能分注デバイスおよび以下から選択される１つ以上の成分構成要素が存在する。すなわち、水分補給、電解質、ビタミン、ミネラル、酸化防止、ハーブ、抗二日酔い成分、エネルギー構成要素、解毒構成要素、またはこれらの組み合わせの成分から選択される１つ以上の成分構成要素が存在する。一実施形態には、本発明の万能分注デバイス、ならびに１つ以上の解毒構成要素、１つ以上の水分補給成分および１つ以上の電解質バランスを復元するための成分が存在する。別の実施形態では、本発明の万能分注デバイスは、１つ以上のビタミンＢ、１つ以上のエネルギー構成要素、１つ以上の電解質、およびこれらの組み合わせからなる群から選択される成分を備える抗二日酔い調剤を備える。一部の実施形態では、抗二日酔い調剤は、香味剤、甘味剤、酸味料、着色剤およびこれらの組み合わせからなる群から選択される成分をさらに備える。
【０１０４】
一部の実施形態では、抗二日酔い成分は、頭痛、めまい、吐き気、脱水、疲労、口の渇き、ストレス、不快、不調に見える、または体調不良を含む過度のアルコール消費の少なくとも１つの症状に対して予防効果を有する、１つ以上の構成要素を備える。過度のアルコール消費の少なくとも１つの症状に対して予防効果を有する、１つ以上の構成要素の非限定の例には、たとえば、グルカ酸、薬剤として許容できる塩、またはｄ−グルカロ−１，４−ラクトン、ｄ−グルクロノラクトン、ｄ−グルカロ−６，３−ラクトン、ｄ−グルクロン酸γ−ラクトン、およびｄ−グルクロン、グルカル酸カルシウム、グルカル酸カリウム、グルカル酸マグネシウム、グルカル酸亜鉛、およびグルカル酸鉄、グルカル酸、グルクロノラクトン、マリアアザミ抽出物ならびにグルタチオンからなる群から選択される、これらのエナチオマーもしくはこれらの派生物が含まれる。
【０１０５】
ビタミンＢは、たとえば、ビタミンＢ１（チアミン）、ビタミンＢ２（リボフラビン）、ビタミンＢ３（ナイアシンまたはナイアシナミド、ビタミンＰＰとして知られている場合もある）、ビタミンＢ５（パントテン酸）、ビタミンＢ６（ピリドキシン、ピリドキサール、またはピリドキミン、または塩酸ピリドキシン）、ビタミンＢ７（ビオチン）、ビタミンＢ９（葉酸）、ビタミンＢ１２（様々なコバラミン、一般的にはシアノコバラミン）を含む。
【０１０６】
１つ以上のエネルギー構成要素の非限定の例には、たとえば、カフェイン、糖類−グルコースなどの炭水化物、アミノ酸−タンパク質、脂肪酸、コリン、イチョウ、Ｌ−グルタミン、カフェイン、朝鮮人参、イノシトール、ビタミンＢ、ビタミンＣ、補酸素Ｑ１０、カルニチン、アシュワガンダ、エッセントラ、センデラ、センソリル、タウリン、グルクロノラクトン、ガラナ、茶、リボース、ＮＡＤＨ、および他のエネルギー増強ドリンク成分が含まれる。
【０１０７】
電解質は、たとえば、ナトリウム、マグネシウム、カリウム、元素および有機酸の形のリン（たとえばクエン酸マグネシウム、塩化マグネシウム、塩化カリウム、カリウムリン酸塩）を含む。
【０１０８】
ビタミンの非制限の例は、１つ以上のビタミンＢ、ビタミンＣ、ビタミンＤ、ビタミンＡ、ビタミンＥ、またはこれらの組み合わせを含む。
【０１０９】
ミネラルは、たとえば、１つ以上の亜鉛、マグネシウム、カリウム、ナトリウム、すべての元素および有機酸の形のカルシウムを含む。
【０１１０】
抗酸化物質は、たとえば、１つ以上のベリー抽出物、アントシアニン、グレープシードオイル、カテキン、ポリフェノール、未焙煎コーヒー、緑茶、抹茶、ビタミンＢ、補酸素Ｑ１０、ビタミンＣ、亜鉛、ビタミンＥ、またはこれらの組み合わせを含む。
【０１１１】
一部の実施形態では、万能分注デバイス内に収納される抗二日酔い成分の重量は、約３５０〜１５００ｍｇ、約５００〜１２５０ｍｇ、約７５０〜１０００ｍｇ、または約８００〜９００ｍｇであり、ビタミンＢを約０．１〜５重量％、エネルギー構成要素を約２〜２５重量％、グルカ酸、薬剤として許容できる塩、これらのエナチオマーもしくはこれらの派生物を約０．５〜２５重量％、および電解質を約４０〜９５重量％である。
【０１１２】
一部の実施形態では、抗二日酔い調剤は、ビタミンＢを約１〜３重量％、エネルギー構成要素を約５〜１５重量％、グルカ酸、薬剤として許容できる塩、これらのエナチオマーもしくはこれらの派生物を約３．０〜１５重量％、および電解質を約５５〜９０重量％備える。一部の実施形態では、抗二日酔い調剤は、ビタミンＢを約１〜２重量％、エネルギー構成要素を約１０〜１５重量％、グルカ酸、薬剤として許容できる塩、これらのエナチオマーもしくはこれらの派生物を約５．０〜１０重量％、および電解質を約７５〜８５重量％備える。
【０１１３】
一部の実施形態では、ビタミンＢは、約１〜３重量％備える。一部の実施形態では、ビタミンＢ２は、約０．０１〜０．５重量％の範囲の量で存在し、ビタミンＢ３は、約０．１〜１重量％の範囲の量で存在し、ビタミンＢ６は、約０．０５〜０．４重量％の範囲の量で存在し、ビタミンＢ５は、約０．１〜１．５重量％の範囲の量で存在し、ビタミンＢ１２は、約０．０００１〜０．０１０重量％の範囲の量で存在する。
【０１１４】
一部の実施形態では、エネルギー構成要素は、調剤を約２〜２５重量％備える。一部の実施形態では、エネルギー構成要素の量は、約５〜１５重量％、約７〜１３重量％または約１０〜１２重量％である。
【０１１５】
一部の実施形態では、グルカ酸（またはこの派生物）構成要素は、調剤を約０．５〜２５重量％備える。一部の実施形態では、グルカ酸（またはこの派生物）の量は、約３〜１５重量％、約５〜１０重量％または約６〜８重量％である。
【０１１６】
一部の実施形態では、電解質は、調剤を約４０〜９５重量％備える。一部の実施形態では、電解質は、約５５〜９０重量％、約７０〜８５重量％または約８０〜８５重量％である。
【０１１７】
一部の実施形態では、抗二日酔い調剤は、約１５０〜７００ｍｃｇのビタミンＢ２、約０．５〜１５ｍｇのビタミンＢ３、約０．４〜８．５ｍｇのビタミンＢ６、約２〜７５ｍｃｇのビタミンＢ１２、約１〜１０ｍｇのビタミンＢ５、約２５〜２５０ｍｇのカフェイン、約１０〜２５０ｍｇのグルカロノラクトン、ならびに約２７５〜９００ｍｇの電解質（塩化マグネシウム、塩化カリウム、カリウムリン酸塩およびグルカル酸カリウムなど）を備える。
【０１１８】
一部の実施形態では、抗二日酔い調剤は、約４４０ｍｃｇのビタミンＢ２、約５．３ｍｇのビタミンＢ３、約１．３ｍｇのビタミンＢ６、約６ｍｃｇのビタミンＢ１２、約５ｍｇのビタミンＢ５、約１００ｍｇのカフェイン、約５０ｍｇのグルカロノラクトン、ならびに約６５０ｍｇの電解質（塩化マグネシウム、塩化カリウム、カリウムリン酸塩およびグルカル酸カリウム）を備える。抗二日酔い調剤は、以下から選択される成分をさらに備えることができる。すなわち、二酸化ケイ素、スクラロース、果汁および野菜ジュース、カリウム、アセサルフェーム、リンゴ酸、クエン酸、Ｄ−グルカル酸カリウム、マルトデキストリン、塩化マグネシウム、塩化カリウム、カリウムリン酸塩、天然および人工の香味、ならびにこれらの組み合わせからからなる群から選択される成分をさらに備えることができる。
【０１１９】
本発明の万能分注密閉デバイスの別の実施形態は、溶性または不溶性繊維（たとえば、アラビノガラクタン、アラビノキシランなど）のいずれかを単独で、または他の成分、香味料、甘味料、酸味料、および／または着色剤と組み合わせて使用して、繊維が増強された水を生成するための保管および送達システムである。
【０１２０】
本発明の万能分注密閉デバイスの別の実施形態は、プロバイオティクスを単独で、または他の成分、香味料、甘味料、酸味料、および／または着色剤と組み合わせて使用して、免疫支持飲料を生成するための保管および送達システムである。
【０１２１】
本発明の万能分注密閉デバイスの別の実施形態は、生成された飲料内でこれらの摂取により老化防止効果を提供できる成分を単独で、または他の成分、香味料、甘味料、酸味料、および／または着色剤と組み合わせて使用して、飲料内から美を生成するための保管および送達システムである。
【０１２２】
本発明の万能分注密閉デバイスの別の実施形態は、回復、スタミナ、強さ、筋肉増強などの効果領域に的を絞ったスポーツ栄養飲料を生成するための保存および送達システムである。このような利益のために利用できる成分は、分枝鎖アミノ酸、Ｌ−カルニチン、クレアチン、グルタミン、タンパク質、タンパク質加水分解物、遊離アミノ酸であり、他のこれらの成分を単独で、または他の成分、香味料、甘味料、酸味料、および／または着色剤と組み合わせられる。
【０１２３】
別の実施形態では、本発明の万能分注密閉具は、既存の銘柄の飲料の代替の形または変形の生成に有効である。こうした変形は、非限定の例により、便利な形、旅行用の形、水の追加のみを必要とする脱水型、延長した保存期間、無糖の形を有する変更、ならびに鮮度、有効性、効能、安定性および一貫性の特性を有する変更を含む。
【０１２４】
本発明の万能分注密閉デバイスの別の実施形態は、完成品を形成するために必要とされる受容器と分離されて取り付けられずに、市場に出され販売される万能分注密閉デバイスである。これは、水または他の液体の配送に関する配送費用を回避することにより、配送費用を下げる一方で、たとえば、鮮度、利便性、有効性、効能、一貫性などの特性を提供する利益を有する。
【０１２５】
本発明の万能分注密閉デバイスの別の実施形態は、水または他の液体に曝された際に、安定性、溶解性、および効能の課題を示す飲料のための保存および送達システムである。このような飲料の非限定の例は、グリソディン（長時間水中にあると溶解性および安定性が低下する）、プロバイオティクス（水分活性に曝された際に保存期間が低下する、補酸素Ｑ１０（長時間水中にあると安定性および溶解性が低下する）を含む。
【０１２６】
本発明の万能分注密閉デバイスの別の実施形態は、乳製品または乳製品の代替飲料に後で導入されるための香味料および／または活性成分を保存するのに有効な保存および送達のデバイスである。万能開示デバイスのこの実施形態は、低温殺菌の加熱に耐えられない成分および香味システムの導入を促進することにより、複数の香味料および成分溶液を経費なしに市場に出し、このような香味料および成分を製造ラインに直接加える予定を立てることができるようになる。
【０１２７】
本発明の万能分注密閉デバイスの別の実施形態は、アルコール飲料に後で導入されるための香味料および／または活性成分を保存するのに有効な保存および送達のデバイスである。万能開示デバイスのこの実施形態は、アルコール処理に耐えられない、またはアルコール中での長期間の溶解性もしくは安定性が低いことを示す、成分および香味料の導入システムを促進する。また、この実施形態により、複数の香味料および成分溶液を経費なしに市場に出し、このような香味料および成分を製造ラインに直接加える予定を立てることができるようになる。
【０１２８】
薬品
万能分注密閉デバイスは、所定の測定された用量の液体、水溶性、水分散性、ならびに水懸濁調合薬およびＯＴＣ薬剤を供給するのに有効である。一実施形態では、本発明の万能分注密閉デバイスは、単独でまたは他の成分、香味料、甘味料、酸味料、および／または着色剤と組み合わせて、飲みやすくするための液体と混合する薬剤を服用するための保管および送達システムである。別の実施形態では、万能分注密閉デバイスは、第１の医薬品を第２の医薬品および／または医薬担体に単独で、または他の成分、香味料、甘味料、酸味料、および／または着色剤と組み合わせて、医薬品の効能が維持されるように、既定のまたは所望の使用時点で混合するための保管および送達システムである。一実施形態では、エンドユーザが、第１および第２の構成要素を一緒に混合する。別の実施形態では、薬剤師または同様の専門家が、エンドユーザが使用するために、第１および第２の構成要素を混合する。一実施形態には、他の形の薬剤の代わりに使用されるように、最終的に水中に溶解するために、濃縮液の形でアモキシリンを備える万能分注密閉デバイスが存在する。
【０１２９】
医学的試験、実験室試験および現地試験の使用
万能分注密閉デバイスは、量的または質的分析、比色、試験結果、リトマスまたはそれ自体の分析、試料または物質もしくは試料における第３の材料を提供するために、環境、生物学、有機、化学、無機の試料を含む物質、化学薬品または試料と混合するために、反応物、試薬、抗体の測定された用量を提供するのに有効である。
【０１３０】
携帯用水
万能密閉分注デバイスは、携帯用水を準備するために、汚水と混合するまたは汚水に加えるのに有効な成分を備えることができる。一実施形態では、本発明の万能密閉分注デバイスは、1つ以上の抗菌剤もしくは抗微生物剤、1つ以上の駆虫剤、ヨウ素、他の塩素水の殺菌剤、またはこれらの組み合わせを単独に、または他の成分、香味料、甘味料、酸味料、および／もしくは着色剤と組み合わせて備える、保管および送達システムである。抗菌剤は、たとえば、塩素およびアミノグリコシド、アモキシシリン、アンサマイシン、β−ラクタム、カルバセフェム、セファロスポリン、フルオロキノロン、グリコペプチド、マクロライド、モノバクタム、ニトロフラン、オキサゾリジノン、ペニシリン、キノロン、リファマイシン、テトラサイクリン、スルホンアミドと同様の抗生物質、マイオバクテリアに対する薬剤およびこれらの組み合わせを含む。
【０１３１】
化粧品
万能密閉分注デバイスは、健康製品および美容製品、温泉製品または化粧品と混合する、加える、調合する所望の使用時点まで、材料を隔離するのに有効である。一実施形態では、本発明の万能分注密閉デバイスは、１つ以上の毛髪着色剤、漂白剤、ライトナ、コンディショナ、保湿剤、またはこれらの組み合わせを備える保管および送達システムである。
【０１３２】
洗浄製品
万能密閉分注デバイスは、洗浄液を調合するために水と混合し加えるのに有効な濃縮洗浄成分を備えることができる。一実施形態では、万能分注密閉具は、後に洗浄に使用する水に導入するために、キャップ内の高濃度のガラス洗浄剤または汎用洗浄剤を備える。万能密閉具を使用して分注できる洗浄化学製品は、家庭、学校および職場のような場所で日常的に使用できる。成分によって、それらの成分は有毒であっても安全であってもよい。洗浄成分は、これに限定されないが、強アルカリ性、高密度アルカリ性、弱アルカリ性、強酸性、弱酸性、溶剤、石鹸および洗剤を含むことができる。
【０１３３】
実施例
実施例１
１つの形のＰＯＷＥＲＣＡＰ（登録商標）は、筐体、ならびに２つ以上の内径を有し、２つ以上のスペーサリブおよび外側の最内径上の２つ以上のネジ式係合突出部を有する密閉放射状スカートであって、筐体は、用量チャンバならびに１つ以上の製品およびエンドプレート封止を分注するユーザ作動手段を備える、筐体および密閉放射状スカートと、凸状のドーム、隔壁、およびエンドキャップを備えるユーザ作動手段と、立位放射状リムをさらに備える凸状のドームと、タンパーエビデント・スカートをさらに備える密閉放射状スカートと、を備える。
【０１３４】
実施例２
機能性飲料を生成するために使用することができる多くの栄養素およびビタミンは、このような製品を製造し保存するために頻繁に利用される条件（すなわち熱、光、水）に影響をうけやすい。ＰＯＷＥＲＣＡＰ（登録商標）用量密閉具は、機能性飲料を使用時点で生成するために、保存された材料を液体に分注するように係合することができる摩擦適合封止で、包囲チャンバ内の成分を保護することができる飲料技術である。この実験は、ビタミンＣ（アスクルビン酸）およびカフェインの化学成分を保持するＰＯＷＥＲＣＡＰ（登録商標）用量密閉具の能力を、通常の高温充填する飲料の製造条件に曝されるこれらの栄養素に比べて調査した。ビタミンＣおよびカフェインの両方の公知の量を含有する標準製剤は、１）ＰＯＷＥＲＣＡＰ（登録商標）チャンバ内でボトルに取り付けずに保存された、２）ＰＯＷＥＲＣＡＰ（登録商標）チャンバ内で水を充填した標準形のネジ山付きのボトル上に完全にネジ留めして保存された、３）ある水量に分注され、蓋をしたボトル内に保存された、ならびに４）ある水量に分注され、８０℃に３０分間加熱され、蓋をしたボトル内に保存された、４つの実験条件に分けられた。各試験試料は、３７℃で３０日間オーブン内に保存された。周期的に中間時点で、複製物をそれらの保管条件から採取し、光ダイオードアレイおよび質量検出器に結合された高性能液体クロマトグラフィで評価して、それぞれに保持されたビタミンＣおよびカフェインの量を決定した。この工程は、３０日の実験最後に繰り返された。カフェインは、全実験条件下で強い安定性を表示した。ビタミンＣの安定性は、保管の実験条件に依存した。水と混合し、高温で充填された条件に曝された場合、また高温で充填されずに延長された液体に保管された場合に、ビタミンＣに急な低下が見られた。しかし、混合物をＰＯＷＥＲＣＡＰ（登録商標）内に乾燥を保って保存され、ボトルから出す、または水を充填したボトルに取付けた場合は、ビタミンＣの優れた化学安定性が得られた。発明者の成果は、溶液内で分解しやすい、非常に不安定な栄養素であるビタミンＣは、熱応力条件（３７℃）に曝されても、乾燥した形で安定を保てることを実証する。
【０１３５】
実施例３
１つの形の万能分注密閉デバイスは、筐体および密閉放射状スカート、ならびに過度のエタノール消費からの二日酔いの１つ以上の症状を予防または改善する製品を備える。筐体は、製品および用量チャンバを分注するユーザ作動手段を備える。分注するユーザ作動手段は、凸状のドーム、隔壁およびエンドキャップを備える。凸状のドームは、凸状のドームを不注意な陥没および製品の分注から保護するために、筐体チューブの近位放射状縁部から凸状のドームの頂部を超えて上方に延在する立位放射状リムを有する。密閉放射状スカートは、プラグ封止および従属螺旋突起を備える。密閉放射状スカートは、タンパーエビデント・スカートをさらに備える。
【０１３６】
二日酔いの発現を防ぐための製品は、１つ以上の抗二日酔い成分、１つ以上のビタミンＢ、１つ以上のエネルギー構成要素、１つ以上の電解質、またはこれらの組み合わせから選択される１つ以上の構成要素を備える。一実施形態では、万能分注密閉具は、抗二日酔い構成要素グルカロノラクトン、ビタミンＢ２、Ｂ３、Ｂ６、Ｂ１２、およびＢ５、エネルギー構成要素カフェイン、ならびに塩化マグネシウム、塩化カリウム、カリウムリン酸塩およびグルカル酸カリウムを備える電解質を備える。
【０１３７】
実施例４
製品の所定の用量を供給するために、デバイスが複数の飲料のボトルの最上部に適合することが望ましい。一旦用量または供給が主要容器または器に送達されると、封止および保持方法を提供することも利点である。無炭酸水の現在の市場は、これらの飲料の製造業者および供給業者が、様々な寸法の種々の首の仕上がりを有するといった状況である。これらの様々なネジ山付きの首開口部に、密閉具の一時的定置を可能にすることが望ましい。また、ボトルに使用時点で封止係合を作用する密閉具を有して、消費者が、完全に混合し、該密閉具を持ち歩くために成分を振ることが可能になることが望ましい。
【０１３８】
用量または供給を収納または運ぶために使用される分注密閉具は、活性化された際に用量を送達し、記載されたように、エンドユーザが製品を分注できるようになる。密閉具は、首の仕上がりを押圧またはネジを回すことができ、それにより変形可能な軸方向のリブがボトルのネジと干渉係合して、取外し可能な抵抗を提供する。種々の寸法の従属放射状の突起は、異なる径の首の仕上がりに封止係合を提供する。
【０１３９】
製品の二次的供給または用量を収納するために使用される分注密閉具が活性化されると、二次的製品または用量は、それが取り付けられた主要器に分注される。反転したドームは、製品の用量をそれが取り付けられた器に供給する１片送達方法である。密閉ドームは、隔壁およびより薄い凸状のドーム、ならびにエンドプレート封止で構成される。エンドプレート封止は、組み立てられる際に、製品の内部との封止界面を筐体に提供するために、薄い曲げやすく折れやすい性質の種々の材料から作成することができる。薄くされた凸状のドームが凹形の形状に反転すると、一体成形された隔壁は、力をエンドプレートに印加して、エンドプレートをせん断し破砕し、該エンドプレートが主要密閉具との円柱係合から外方に押しつけられる。この動作は、密閉具内に離間部分を提供して、所定の製品または用量が密閉具から取り付けられた器の中に落下可能になる。様々なボトルの製造業者は、種々のボトルの開口部を使用し、これらの開口部は、固有であり、配送および長期保管封止に対応するために、特定のネジ山付きの密閉具を必要とする。万能密閉具は、付着および取外し可能なトルクを提供するために、分離して配置された従属リブを有する。リブは、密閉具は種々のネジ山付きの首開口部の径およびネジの外形を許容できるように、薄く変形可能である。薄い変形可能なリブは、それらの垂直長さを通して適合し、ヒンジで連結された変形可能な部材に該密閉具の側壁を提供するために、最上部壁から容易にせん断される。
【０１４０】
密閉具はまた、封止部材と同様に従属プラグで構成される。封止部材は、プラグ封止が複数の無炭酸水ボトルの首の仕上がりの内径に封止係合の機会を提供するように、その構成において固有である。プラグ封止は、より大きい内径ボトルに対して干渉係合を提供し、より小さいボトルの内径ボトルに対して上部の最長の放射状封止部分を提供する場所を、容易に折り畳むまたは変形することができる、より長くより薄い部分を有する。密閉具デッキに向かって従属壁を移動させて径を増加させ、遠位端におけるより小さい径から複数の封止ビードおよび形体を生成することにより、概念を向上することができる。
【０１４１】
密閉具プラグ封止の構成は、より小さい内径ボトルに封止係合をプラグ封止のより低い端部において提供し、より大きい内径ボトルに対して干渉係合をボトル内径にプラグ封止の上端において提供するように、傾斜した形に配置することができる。
【０１４２】
ドームの偶発的な反転を防ぐために、ドームの頂部の上に延在する、引離し式保護部分を追加することにより、概念を向上させることができる。引き離す帯は、円筒からドームが取り付けられたところまで、またはキャップのデッキ部分から延在するように構成することができる。また、ドームの偶発的な反転を防ぐために、取外し可能な保護オーバーキャップを概念に提供することができる。
【０１４３】
追加された境界が向上させる鮮度として、密閉具の外側の最も長い径にわたって及ぶフォイル封止部を含むように、概念を向上させることができる。
【０１４４】
隔壁端部取付具を追加することによって、概念を向上させることができる。この個別の取付具を使用して、エンドプレートのフォイル封止タイプを捕捉する。隔壁端部取付具は、エンドプレートを破砕または開くのに必要な力を低減させるために、一様でない圧力をエンドプレート上に印加する方式で構成される。隔壁端部取付具は、隔壁の自由な移動およびドームの反転が可能になるために、概して用量チャンバから径を削減する。隔壁端部は、放射状のビードを含むように構成され、大きいカップ状の構成である。一旦ドームが反転されると、隔壁端部取付具は、封止プレートを剥離するために、エンドプレートに対して十分な力を作用する。封止プレートは、カップ形状の隔壁端部取付具を許容するのに十分な可撓性があり、可撓性の封止を隔壁端部取付具のカップ状端部の内部に配置された放射状のビード内部に保持する。
【０１４５】
本発明は開示された実施形態に関連して記載されたが、本発明の範囲を説明した特定の形に限定することを意図するものではなく、反対に、添付の特許請求の範囲によって定義されるように、本発明の精神および範囲内に含まれてよい代替形態、修正形態、および等価物を網羅することを意図する。
【図１Ａ】
2013510049.tif 000003
【図１Ｂ】
2013510049.tif 000004
【図２】
2013510049.tif 000005
【図３】
2013510049.tif 000006
【図４】
2013510049.tif 000007
【図５】
2013510049.tif 000008
【図６】
2013510049.tif 000009
【図７】
2013510049.tif 000010
【図８】
2013510049.tif 000011
【図９】
2013510049.tif 000012
【図１０】
2013510049.tif 000013
【図１１】
2013510049.tif 000014
【図１２】
2013510049.tif 000015
【図１３】
2013510049.tif 000016
【図１４】
2013510049.tif 000017
【図１５】
2013510049.tif 000018
【図１６】
2013510049.tif 000019
【図１７】
2013510049.tif 000020
【図１８】
2013510049.tif 000021
【図１９】
2013510049.tif 000022
【図２０】
2013510049.tif 000023
【図２１】
2013510049.tif 000024
【図２２】
2013510049.tif 000025
【図２３】
2013510049.tif 000026
【図２４】
2013510049.tif 000027
【図２５】
2013510049.tif 000028
【図２６】
2013510049.tif 000029
【図２７】
2013510049.tif 000030
【図２８】
2013510049.tif 000031
【図２９】
2013510049.tif 000032
【図３０】
2013510049.tif 000033
【図３１】
2013510049.tif 000034
【図３２】
2013510049.tif 000035
【図３３】
2013510049.tif 000036
【図３４】
2013510049.tif 000037
【図３５】
2013510049.tif 000038
【図３６】
2013510049.tif 000039
【図３７】
2013510049.tif 000040
【図３８】
2013510049.tif 000041
【図３９】
2013510049.tif 000042
【図４０】
2013510049.tif 000043
【図４１】
2013510049.tif 000044
【図４２】
2013510049.tif 000045
【図４３】
2013510049.tif 000046
【図４４】
2013510049.tif 000047
【図４５】
2013510049.tif 000048
【図４６】
2013510049.tif 000049
【図４７】
2013510049.tif 000050
【図４８】
2013510049.tif 000051
【図４９】
2013510049.tif 000052
【国際調査報告】
2013510049.tif 000053
2013510049.tif 000054
2013510049.tif 000055